(57)【要約】【課題】  ユーザの肌状態、体状態又は心状態の変化の予測に関する情報を提供することができる情報出力システムを提供する。【解決手段】  情報出力システムは、行動認識部と、予測部と、出力制御部とを備える。  行動認識部は、ユーザＵａの行動データに示されるユーザＵａの行動を認識する。  予測部は、ユーザＵａの行動に基づいて、ユーザＵａの指定状態の変化を予測する。  出力制御部は、予測されたユーザＵａの指定状態の変化を示す情報Ｐ２０３、Ｐ３０１、Ｐ５０１を出力部３１に出力する。【選択図】図２３
2019012524.tif 000002
【特許請求の範囲】
【請求項１】
情報を出力する出力部と、
前記情報出力システムのユーザの行動データに示されるユーザの行動を認識する行動認識部と、
前記ユーザの行動に基づいて、前記ユーザの肌状態、体状態又は心状態の少なくとも１つである指定状態の変化を予測する予測部と、
前記予測部によって予測された前記ユーザの指定状態の変化を示す情報を前記出力部に出力する出力制御部とを備えることを特徴とする情報出力システム。
【請求項２】
請求項１記載の情報出力システムにおいて、
情報の入力を受け付ける入力部と、
前記入力部を介して入力された情報に基づいて、前記ユーザの指定状態の目標スコアを認識する目標スコア認識部とを備え、
前記予測部は、前記ユーザの行動に基づいて、前記ユーザの指定状態の変化としての前記ユーザの指定状態のスコアの時系列的な変化とともに、前記ユーザの指定状態の目標スコアを達成するまでの期間を予測し、
前記出力制御部は、前記ユーザの指定状態のスコアの時系列的な変化を示す情報とともに、前記期間を出力部に出力することを特徴とする情報出力システム。
【請求項３】
請求項２記載の情報出力システムにおいて、
前記予測部は、前記ユーザの行動に応じて前記期間を延長または短縮させ、前記延長または短縮された期間に応じて前記ユーザの指定状態のスコアの時系列的な変化の予測を行い、
前記出力制御部は、前記ユーザの指定状態のスコアの時系列的な変化を示す情報と延長または短縮前の期間と延長または短縮後の期間とを出力部に出力するように構成されていることを特徴とする情報出力システム。
【請求項４】
請求項１〜３のうちいずれか１項記載の情報出力システムにおいて、
前記予測部は、前記ユーザの行動に関連付けられた前記ユーザの指定状態のスコアの変動量を認識し、当該変動量に基づいて、前記ユーザの指定状態のスコアの時系列的な変化を予測するように構成され、
前記変動量は、前記ユーザの指定状態の改善の度合いが大きいほど連続的または断続的に大きい値となり、前記ユーザの指定状態の改善の度合いが小さいほど連続的または断続的に小さい値となり、
前記出力制御部は、前記予測部の予測結果に従った前記ユーザの指定状態のスコアの時系列的な変化を示す情報と、前記ユーザの行動を示す情報と、当該行動に関連する前記変動量とを前記出力部に出力することを特徴とする情報出力システム。
【請求項５】
請求項１〜４のうちいずれか１項記載の情報出力システムにおいて、
前記ユーザの指定状態を向上させるための施策を含む情報を前記出力部に出力する施策情報出力制御部と、
前記施策の実行の状況を認識する施策実行状況認識部とを備え、
前記予測部は、前記施策の実行の状況に基づいてユーザの指定状態のスコアの時系列的な変化を予測するように構成され、
前記出力制御部は、前記施策の実行の状況と前記予測部によって前記施策の実行の状況に基づいて予測された前記ユーザの指定状態のスコアの時系列的な変化を示す情報とを前記出力部に出力することを特徴とする情報出力システム。
【請求項６】
請求項５記載の情報出力システムにおいて、
前記出力制御部は、前記施策の実行状況に応じて、同一の施策の実行の継続を促す情報
、前記施策と同一の種別の施策であり、実行の度合いを変更した施策の実行を促す情報、及び前記施策と種別が異なる施策の実行を促す情報のいずれかを選択し、前記施策の実行の状況と前記予測部によって前記施策の実行の状況に基づいて予測された前記ユーザの指定状態のスコアの時系列的な変化を示す情報とに加え、前記選択された情報を前記出力部に出力するように構成されていることを特徴とする情報出力システム。
【請求項７】
請求項１〜６のうちいずれか１項記載の情報出力システムにおいて、
ユーザの操作が入力される入力部を備え、
前記出力制御部は、前記入力部に対する操作に応じて、予測の基準となる時点を切り替えて、切替後の時点におけるユーザの指定状態のスコアの予測を示す情報を前記出力部を出力するように構成されている情報出力システム。
【請求項８】
請求項１〜７のうちいずれか１項記載の情報出力システムにおいて、
前記予測部は、前記ユーザの部位ごとに前記ユーザの指定状態の予測をするように構成され、
前記出力制御部は、前記ユーザの写真又は前記ユーザを模した画像を前記出力部に出力させるように構成され、かつ、前記ユーザの部位の予測に応じた情報を前記ユーザの写真又は前記ユーザを模した画像の当該部位に対応する部分に出力するように構成されている情報出力システム。
【請求項９】
請求項１〜８のうちいずれか１項記載の情報出力システムにおいて、
前記予測部は、前記ユーザの行動の周期性を認識し、当該周期性に基づいてユーザの指定状態の予測をするように構成されている情報出力システム。
【請求項１０】
情報を出力する出力部を備えるシステムが実行する方法であって、
前記システムのユーザの行動データに示されるユーザの行動を認識するステップと、
前記ユーザの行動に基づいて、前記ユーザの肌状態、体状態又は心状態の少なくとも１つである指定状態をスコアリングすることにより得られる前記ユーザの指定状態のスコアを予測するステップと、
前記予測された前記ユーザの指定状態のスコアを示す情報を前記出力部に出力するステップとを含むことを特徴とする情報出力方法。
【請求項１１】
情報を出力する出力部を備えるシステムに、
前記システムのユーザの行動データに示されるユーザの行動を認識するステップと、
前記ユーザの行動に基づいて、前記ユーザの肌状態、体状態又は心状態の少なくとも１つである指定状態をスコアリングすることにより得られる前記ユーザの指定状態のスコアを予測するステップと、
前記予測された前記ユーザの指定状態のスコアを示す情報を前記出力部に出力するステップとを実行させることを特徴とする情報出力プログラム。
【発明の詳細な説明】
【技術分野】
【０００１】
本発明は、肌状態、体状態又は心状態のケアに関する情報出力システム、情報出力プログラム及び情報出力方法に関する。
【背景技術】
【０００２】
従来、肌状態、体状態又は心状態のケアに関する様々なツールが知られている。
【０００３】
例えば、特許文献１には、化粧品販売員等がユーザに対して用いるカウンセリングツールとして、肌状態の典型的なパターンに対し、その肌の状態の説明をする肌状態説明部と、その肌の状態に必要なスキンケア方法の説明表示部とを備えたカウンセリングツールが記載されている。
【０００４】
肌状態説明部は、肌状態の典型的なパターンとしての「水分が不足しがちな状態」という小見出しと、当該肌の状態についての「お肌を外的刺激から守るバリア機能も低下しやすく、………考えられます。」という説明文とを含む。
【０００５】
スキンケア方法の説明表示部は、当該肌状態におけるスキンケア方法としての「やや不足している方    Ｗ保湿」及び「不足している方    Ｗ保湿＋ローションマスク・クリーム」という見出しとが含まれている。ここで、「Ｗ保湿」及び「ローションマスク・クリーム」は、それぞれ、スキンケア方法の種類又はスキンケアに用いる商品を示している。
【０００６】
化粧品販売員は、例えば、顧客の肌状態が水分がやや不足している状態であると判断した場合、スキンケア方法の説明表示部に表示された「Ｗ保湿」を行うよう勧めるなど、顧客の肌状態とカウンセリングツールとを突き合わせることで、肌のパターンに応じた施策を即座にユーザに対して提示することができる。
【先行技術文献】
【特許文献】
【０００７】
【特許文献１】特許第４２９９０８０号公報
【発明の概要】
【発明が解決しようとする課題】
【０００８】
しかし、特許文献１の技術は、ユーザの肌状態に応じて画一的なアドバイスを行うためのカウンセリングツールにすぎず、ユーザの行動の影響によるユーザの肌状態の変化の予測に関する情報を提供するものではなかった。このため、アドバイスによってどのようにユーザの肌状態が変化するかのイメージをユーザに持たせにくかった。
【０００９】
そこで、本発明は、ユーザの肌状態、体状態又は心状態の変化の予測に関する情報を提供することができる肌状態、体状態又は心状態のケアに関する情報出力システム、情報出力プログラム及び情報出力方法を提供することを目的とする。
【課題を解決するための手段】
【００１０】
本発明の情報出力システムは、
情報を出力する出力部と、
前記情報出力システムのユーザの行動データに示されるユーザの行動を認識する行動認識部と、
前記ユーザの行動に基づいて、前記ユーザの肌状態、体状態又は心状態の少なくとも１つである指定状態の変化を予測する予測部と、
前記予測部によって予測された前記ユーザの指定状態の変化を示す情報を前記出力部に出力する出力制御部とを備えることを特徴とする。
【００１１】
当該構成の情報出力システムによれば、行動認識部により、ユーザの行動が認識される。そして、予測部により、当該ユーザの行動に基づいて、ユーザの指定状態の変化が予測される。そして、出力制御部により、前記ユーザの指定状態の変化を示す情報が前記出力部に出力される。これにより、ユーザに対して、ユーザの行動の影響を加味したユーザの指定状態の変化予測の情報が提供される。
これにより、ユーザに、ユーザの行動の結果としてのユーザの指定状態の変化のイメージを持たせうる。
【００１２】
本発明の情報出力システムにおいて、
情報の入力を受け付ける入力部と、
前記入力部を介して入力された情報に基づいて、前記ユーザの指定状態の目標スコアを認識する目標スコア認識部とを備え、
前記予測部は、前記ユーザの行動に基づいて、前記ユーザの指定状態の変化としての前記ユーザの指定状態のスコアの時系列的な変化とともに、前記ユーザの指定状態の目標スコアを達成するまでの期間を予測し、
前記出力制御部は、前記ユーザの指定状態のスコアの時系列的な変化を示す情報とともに、前記期間を出力部に出力することが好ましい。
【００１３】
当該構成の情報出力システムによれば、目標スコア認識部により、前記入力部を介して入力された情報に基づいて、前記ユーザの指定状態の目標スコアが認識される。また、予測部により、前記ユーザの行動に基づいて、前記ユーザの指定状態のスコアの時系列的な変化とともに、前記ユーザの指定状態の目標スコアを達成するまでの期間が予測される。そして、前記出力制御部により、前記ユーザの指定状態のスコアの時系列的な変化を示す情報とともに、前記期間が出力部に出力される。
【００１４】
これにより、ユーザに、指定状態のスコアの時系列的な変化を示す情報に加え、目標スコアを達成するまでの期間を認識させることができる。
【００１５】
当該構成の情報出力システムにおいて、
前記予測部は、前記ユーザの行動に応じて前記期間を延長または短縮させ、前記延長または短縮された期間に応じて前記ユーザの指定状態のスコアの時系列的な変化の予測を行い、
前記出力制御部は、前記ユーザの指定状態のスコアの時系列的な変化を示す情報と延長または短縮前の期間と延長または短縮後の期間とを出力部に出力するように構成されていることが好ましい。
【００１６】
当該構成の情報出力システムによれば、予測部により、前記ユーザの行動に応じて前記期間が延長または短縮され、前記延長または短縮された期間に応じて前記ユーザの指定状態のスコアの時系列的な変化の予測が行われる。
【００１７】
そして、前記出力制御部により、前記ユーザの指定状態のスコアの時系列的な変化を示す情報と延長または短縮前の期間と延長または短縮後の期間とが出力部に出力される。
【００１８】
これにより、ユーザの行動の影響の結果としての目標達成までの期間の延長または短縮をユーザに認識させることができる。
【００１９】
本発明の情報出力システムにおいて、
前記予測部は、前記ユーザの行動に関連付けられた前記ユーザの指定状態のスコアの変動量を認識し、当該変動量に基づいて、前記ユーザの指定状態のスコアの時系列的な変化を予測するように構成され、
前記変動量は、前記ユーザの指定状態の改善の度合いが大きいほど連続的または断続的に大きい値となり、前記ユーザの指定状態の改善の度合いが小さいほど連続的または断続的に小さい値となり、
前記出力制御部は、前記予測部の予測結果に従った前記ユーザの指定状態のスコアの時系列的な変化を示す情報と、前記ユーザの行動を示す情報と、当該行動に関連する前記変動量とを前記出力部に出力することが好ましい。
【００２０】
当該構成の情報出力システムによれば、予測部により、前記ユーザの行動に関連付けられた前記ユーザの指定状態のスコアの変動量が認識され、当該変動量に基づいて、前記ユーザの指定状態のスコアの時系列的な変化が予測される。
【００２１】
この変動量は、前記ユーザの指定状態の改善の度合いが大きいほど連続的または断続的に大きい値となり、前記ユーザの指定状態の改善の度合いが小さいほど連続的または断続的に小さい値となる。
【００２２】
そして、出力制御部により、前記ユーザの指定状態のスコアの時系列的な変化を示す情報と、前記ユーザの行動を示す情報と、当該ユーザの行動に関連する前記変動量を示す情報が前記出力部に出力される。これにより、ユーザに各行動の指定状態への影響の大小を数値化して知らせることができる。
【００２３】
本発明の情報出力システムにおいて、
前記ユーザの指定状態を向上させるための施策を含む情報を前記出力部に出力する施策情報出力制御部と、
前記施策の実行の状況を認識する施策実行状況認識部とを備え、
前記予測部は、前記施策の実行の状況に基づいてユーザの指定状態のスコアの時系列的な変化を予測するように構成され、
前記出力制御部は、前記施策の実行の状況と前記予測部によって前記施策の実行の状況に基づいて予測された前記ユーザの指定状態のスコアの時系列的な変化を示す情報とを前記出力部に出力することが好ましい。
【００２４】
当該構成の情報出力システムによれば、施策情報出力制御部により、前記ユーザの指定状態を向上させるための施策を含む情報が前記出力部に出力される。施策実行状況認識部により、前記ユーザの指定状態を向上させるための施策の実行の状況が認識される。そして、予測部により、前記施策の実行の状況に基づいて、ユーザの指定状態の時系列的な変化が認識される。前記施策の実行の状況と前記予測部によって前記施策の実行の状況に基づいて予測された前記ユーザの指定状態の時系列的な変化を示す情報とが、前記出力制御部により前記出力部に出力される。これにより、ユーザに施策の実行の状況とユーザの指定状態の時系列的な変化との関係を認識させることができる。
【００２５】
当該構成の情報出力システムにおいて、
前記出力制御部は、前記施策の実行状況に応じて、同一の施策の実行の継続を促す情報、前記施策と同一の種別の施策であり、実行の度合いを変更した施策の実行を促す情報、及び前記施策と種別が異なる施策の実行を促す情報のいずれかを選択し、前記施策の実行の状況と前記予測部によって前記施策の実行の状況に基づいて予測された前記ユーザの指定状態のスコアの時系列的な変化を示す情報とに加え、前記選択された情報を前記出力部に出力するように構成されていることが好ましい。
【００２６】
当該構成の情報出力システムによれば、出力制御部により、前記施策の実行状況に応じて、同一の施策の実行の継続を促す情報、前記施策と同一の種別の施策であり、実行の度合いを変更した施策の実行を促す情報、及び前記施策と種別が異なる施策の実行を促す情報のいずれかが選択される。
【００２７】
そして、出力制御部により、前記施策の実行の状況と前記予測部によって前記施策の実行の状況に基づいて予測された前記ユーザの指定状態のスコアの時系列的な変化を示す情報とに加え、選択された情報が出力部に出力される。
【００２８】
これにより、施策の実行の状況とユーザの指定状態の時系列的な変化との関係をユーザに認識させることができることに加え、施策の実行状況に応じた施策の実行をユーザに促すことができる。
本発明の情報出力システムにおいて、
ユーザの操作が入力される入力部を備え、
前記出力制御部は、前記入力部に対する操作に応じて、予測の基準となる時点を切り替えて、切替後の時点におけるユーザの指定状態の予測を示す情報を前記出力部を出力するように構成されていることが好ましい。
当該構成の情報出力システムによれば、前記出力制御部により、入力部に対する第１操作に応じて、予測の基準となる時点が切り替えられて、切替後の時点におけるユーザの指定状態の予測を示す情報が前記出力部に出力される。これにより、それぞれの時点におけるユーザの指定状態の予測を示す情報を閲覧させやすくしながら、時点の切り替えにより、複数時点にわたったユーザの指定状態をユーザに閲覧させることができる。
本発明の情報出力システムにおいて、
前記予測部は、前記ユーザの部位ごとに前記ユーザの指定状態の予測をするように構成され、
前記出力制御部は、前記ユーザの写真又は前記ユーザを模した画像を前記出力部に出力させるように構成され、かつ、前記ユーザの部位の予測に応じた情報を前記ユーザの写真又は前記ユーザを模した画像の当該部位に対応する部分に出力するように構成されていることが好ましい。
当該構成の情報出力システムによれば、前記出力制御部により、ユーザの写真又はユーザを模した画像が前記出力部に出力され、かつ、ユーザの部位の予測に応じた情報を前記ユーザの写真又は前記ユーザを模した画像の当該部位に対応する部分に出力する。これにより、ユーザにそれぞれの部位におけるユーザの指定状態を認識させることができる。
本発明の情報出力システムによれば、前記予測部は、前記ユーザの行動の周期性を認識し、当該周期性に基づいてユーザの指定状態の予測をするように構成されていることが好ましい。
当該構成の情報出力システムによれば、前記予測部により、前記ユーザの行動の周期性が認識され、当該周期性に基づいてユーザの指定状態が予測される。ユーザの行動が周期的に繰り返されるものであれば、その行動に応じたユーザの指定状態への影響も同様の周期性を有すると推測される。これにより、ユーザの指定状態への影響の周期性が加味された形でユーザの指定状態が予測されるので、ユーザの指定状態の予測精度の向上が図られうる。
【図面の簡単な説明】
【００２９】
【図１】肌サポートサーバの利用形態の説明図。
【図２】肌サポートサーバ及びユーザ端末の構成図。
【図３】肌サポートサーバによる一連の肌サポート処理の説明図。
【図４】肌サポートサーバにおける処理の第１のフローチャート。
【図５】肌サポートサーバにおける処理の第２のフローチャート。
【図６】ユーザ端末における処理の第１のフローチャート。
【図７】ユーザ端末における処理の第２のフローチャート。
【図８】主観データ及び客観データによる肌、心、体の初期データの解析処理の説明図。
【図９】体状態の数値化の説明図。
【図１０】心状態の数値化の説明図。
【図１１】図１１Ａは各施策とその施策の改善傾向等との関係を示す図で、図１１Ｂは各工程のスケジュールを示す図で、図１１Ｃはなりたい肌と肌状態の主観状態、客観状態との関係を示す図。
【図１２】画像表示を実施している期間における日々のモニタリングに基づく進捗表の説明図。
【図１３】特殊事例による肌状態への影響の説明図。
【図１４】ユーザ端末における肌状態の改善度の表示画面の説明図。
【図１５】施策の評価方法の説明図であり、図１５Ａは施策の評価基準を示し、図１５Ｂは施策の評価例を示している。
【図１６】暮らし及び特殊事例の評価方法の説明図であり、図１６Ａは暮らし及び特殊事例の評価基準を示し、図１６Ｂは暮らし及び特殊事例の評価例を示している。
【図１７】ゴール達成度の判定方法の説明図。
【図１８】２次データの説明図。
【図１９】第１実施形態の予測スコア出力処理のフローチャート。
【図２０】表示器に表示されるホーム画面の一例を示す図。
【図２１】行動の種別と、行動の実行の度合いと、係数との関係を示す表。
【図２２】主要な物質と、飲食物の種別と、係数との関係を示す表。
【図２３】第１実施形態におけるグラフ表示画面の一例を示す図。
【図２４】第２実施形態の予測スコア出力処理のフローチャート。
【図２５】第２実施形態におけるグラフ表示画面の一例を示す図。
【図２６】第３実施形態の予測スコア出力処理のフローチャート。
【図２７】表示器に表示される設定画面の一例を示す図。
【図２８】施策の種別と、施策の実行の度合いと、実行時の係数と、不実行時の係数との関係を示す表。
【図２９】第３実施形態におけるグラフ表示画面の一例を示す図。
【発明を実施するための形態】
【００３０】
本発明の実施形態の一例について、図１〜図１８を参照して説明する。
【００３１】
［Ａ．肌サポートサーバの利用形態］
図１を参照して、肌サポートサーバ１０の構成および本発明を構成する系に対する位置付けを説明する。肌サポートサーバ１０は、ＣＰＵ、メモリ、各種インターフェース回路等を備えたコンピュータシステムにより構成される。肌サポートサーバ１０は、メモリに保持された画像表示用のプログラムをＣＰＵで実行することによって、複数のユーザＵ（図１ではＵａ，Ｕｂ，Ｕｃを例示）の肌状態を改善又は維持するための処理（画像表示処理）を実行する機能を実現する。
【００３２】
肌サポートサーバ１０は、インターネット等の通信ネットワーク１を介して、複数のユーザＵの通信端末（ユーザ端末）３０（図１では３０ａ，３０ｂ，３０ｃを例示）との間でデータ通信を行うことにより、ユーザＵの肌状態の改善又は維持をサポートする。肌サポートサーバ１０と、ユーザ端末３０とにより構成されるシステムが、本発明の「情報出力システム」の一例に相当する。
【００３３】
通信ネットワーク１には、担当者Ｔ（図１ではＴａ，Ｔｂを例示）の通信端末５０（図１では５０ａ，５０ｂを例示）も接続されている。担当者Ｔは、通信端末５０を介して、ユーザＵの肌の特徴や趣味嗜好、生活スタイル等を考慮した適切な肌ケア法等の情報を含むデータを、肌サポートサーバ１０及びユーザ端末３０に送信することにより、ユーザＵの肌状態の改善に対するアドバイスを行う。なお、担当者Ｔの通信端末５０とユーザＵのユーザ端末３０とは必ずしも一対一である必要はなく、肌サポートサーバ１０、担当者Ｔの通信端末５０、通信ネットワーク１を合わせた系全体によってユーザＵの肌状態の改善に対するアドバイスがユーザＵのユーザ端末３０に提供されればよい。例えば、ユーザＵの１又は複数のユーザ端末３０に対して、複数の担当者Ｔによってそれぞれの通信端末５０を介してアドバイスを提供する方法でも良い。
【００３４】
さらに、肌サポートサーバ１０は、複数のユーザＵのユーザ端末３０から送信される各ユーザの固有データを解析して、汎用的に活用可能な２次データを生成する機能を有し、この２次データを通信ネットワーク１を介して他のシステム６０に提供するサービスも行うことができる。
【００３５】
［Ｂ．肌サポートサーバ、及びユーザ端末の構成］
図２を参照して、肌サポートサーバ１０およびユーザ端末３０の構成について説明する。肌サポートサーバ１０は、メモリに保持された情報出力プログラムをＣＰＵで
実行することにより、肌状態認識部１１、施策グループ選択部１２、施策情報送信部１３、及び２次データ生成部１９として機能する。これらの構成による処理については後述する。また、肌サポートサーバ１０は、ユーザＵの画像表示処理に使用する各種データを保持するサポートＤＢ（データベース）２０を備えている。このサポートＤＢ２０はたとえばＲＡＭ上に展開され、後述する主観および客観データの更新によって書き換え可能である。
【００３６】
次に、本実施形態のユーザ端末３０は、表示器３１、タッチパネル３２、カメラ３３、マイク３４、ＣＰＵ３５、及びメモリ３６等を備えている。表示器３１が、本発明の「出力部」に相当する。タッチパネル３２が、本発明の「入力部」に相当する。これに代えてまたは加えて、カメラ３３で撮像したユーザＵの画像又はマイク３４から入力されたユーザＵの音声に基づいてユーザの指定を認識することにより、カメラ３３又はマイク３４を
本発明の「入力部」として機能させてもよい。
【００３７】
なお、一の装置が情報を「認識する」とは、一の装置が他の装置から当該情報を受信すること、一の装置が当該一の装置に接続された記憶媒体に記憶された情報を読み取ること、一の装置が当該一の装置に接続されたセンサから出力された信号に基づいて情報を取得すること、一の装置が、受信した情報又は記憶媒体に記憶された情報又はセンサから取得した情報に基づいて、所定の演算処理（計算処理又は検索処理など）を実行することにより当該情報を導出すること、一の装置が他の装置による演算処理結果としての当該情報を当該他の装置から受信すること、一の装置が当該受信信号にしたがって内部記憶装置又は外部記憶装置から当該情報を読み取ること等、当該情報を取得するためのあらゆる演算処理が実行されることを意味する。
【００３８】
本実施形態においては、ユーザ端末３０は例えばスマートフォンであるため、カメラ３３やマイク３４等を備えているが、ユーザ端末と有線無線にかかわらずやり取りできる構成であれば、外付けでの構成であったり、専門的な撮像装置を用いても良い。ＣＰＵ３５は、メモリ３６に保持された画像表示用のアプリケーション３５ａ（以下、肌サポートアプリ３５ａという）のプログラムを実行することにより、ユーザＵが肌サポートアプリ３５ａを介して肌サポートサーバ１０によるサポートを享受可能な状態とする。肌サポートアプリ３５ａを実行したＣＰＵ３５が、本発明の「施策情報出力制御部」「施策実行状況認識部」「目標スコア認識部」「出力制御部」「予測部」「行動認識部」に相当する。
【００３９】
また、ユーザＵは、肌の細胞を取得するための角質採取テープ３７（図１では３７ａ、３７ｂ、３７ｃを例示）を別途有している。この角質採取テープ３７は、予め担当者ＴによりユーザＵに提供されたものであってもよいし、ユーザＵが市販の角質採取テープ３７を購入してもよい。
【００４０】
なお、以下の説明では、説明の便宜のため、肌状態の改善又は維持のサポート処理の対象のユーザをユーザＵａと表し、「ユーザＵａ」と異なるユーザを「他のユーザＵｂ、Ｕｃ」と表す。
【００４１】
［Ｃ．肌サポートサーバによる一連の処理］
次に、図３を参照して、肌サポートサーバによる一連の処理について説明する。肌サポートサーバ１０は、「１．ゴール設定」、「２．スケジュール決定」、「３．モニタリング」、「４．スケジュール修正」、［５．ゴール判定］及び「６．２次データ生成」の各工程の処理を、図４，５に示したフローチャートに従って実行する。また、ユーザ端末３０は、各工程における肌サポートサーバ１０による処理に応じて、図６，７に示したフローチャートによる処理を実行する。以下では、各工程における肌サポートサーバ１０及びユーザ端末３０のＣＰＵ３５の処理について、図４〜７に示したフローチャート
を参照しつつ説明する。
【００４２】
ユーザＵａは、図６のＳＴＥＰ５０で、肌サポートアプリ３５ａのプログラムをユーザ端末３０にダウンロードして肌サポートアプリ３５ａを起動する。そして、ユーザＵａは肌サポートアプリ３５ａへの登録申請を行う。
【００４３】
肌サポートサーバ１０は、図４のＳＴＥＰ１０で、ユーザＵａからの登録申請を受け付けたときに、「ユーザＵａからの登録申請を受け付けた」と認識し、ＳＴＥＰ１１に処理を進める。そしてＳＴＥＰ１１以降の画像表示処理を開始する。
【００４４】
［Ｄ．ゴール設定工程］
図３に示した「１．ゴール設定」の工程は、肌状態認識部１１及び施策グループ選択部
１２により実行される。施策グループ選択部１２は、図４のＳＴＥＰ１１でユーザ端末３０にユーザＵａの現状の肌、体、心の各状態、及びユーザＵａが要望する肌状態を把握するための情報入力を促す初期情報要求データを送信する。
【００４５】
この初期情報要求データを受信したユーザ端末３０では、肌サポートアプリ３５ａが、図６のＳＴＥＰ５１で、ユーザＵａに対して、現状の肌、体、心の各状態、及びユーザＵａが要望する肌状態の入力を促す画面を表示器３１に表示する。それに対してユーザ端末３０は、ユーザＵａが入力した情報を含む初期ユーザ情報データを、肌サポートサーバ１０に送信する。  肌状態認識部１１は、図４のＳＴＥＰ１１において、初期ユーザ情報データを受信して、初期ユーザ情報データから認識したユーザＵａの肌、心、体の各状態と、ユーザＵａが要望する肌状態とに基づいて、肌状態の目標スコア（ゴール）を設定する。
【００４６】
ここで、初期ユーザ情報データには、肌状態、体状態、及び心状態についての主観データ及び客観データが含まれている。詳細な定義は後述するが、主観データはユーザの主観によって判定される項目、客観データは検査結果や画像解析、事実情報に基づいたデータである。肌状態の主観データは、現状の肌状態に対するユーザＵａの満足度を、例えば１０段階で示したデータである。肌状態の客観データは、ユーザＵａの肌画像データである。なお、肌状態の客観データには、初期ユーザ情報データに含まれる肌状態の客観データに加え、角質採取テープ３７により採取されたユーザＵａの角層細胞の解析データが含まれても良い。角層細胞の解析データは、具体的には例えば保水能力と皮脂適格性に関するデータである。この場合、角層細胞の解析を、例えばユーザ端末３０に接続された測定機器４５により行うことで、或は、角質採取テープ３７の画像データをユーザ端末３０から肌サポートサーバ１０に送信し、肌サポートサーバ１０側で角質採取テープ３７の画像を分析して保水能力と皮脂適格性などを測定してもよい。
【００４７】
ユーザＵａの満足度は肌サポートアプリ３５ａにおけるアンケート入力によって取得される。また、肌画像データは、ユーザ端末３０のカメラ３３又は接続端子４０に接続された外部カメラによってユーザＵａがユーザＵａの顔を撮像することによって取得した画像データである。
【００４８】
また、肌サポートアプリ３５ａは、ユーザＵａに対して、角質採取テープ３７の使用方法を表示器３１に表示し、角質採取テープ３７の使用と別途の郵送とを促す。肌サポートアプリ３５ａは、ユーザＵａに対して、角質採取テープ３７の使用と肌画像の撮像を促し、撮像された画像が肌サポートサーバ１０に送信されるようにしてもよい。
【００４９】
肌状態認識部１１は、図８に示したように、肌状態の初期値を、主観のスコアをたとえば３、肌画像のスコアを３、保水能力のスコアを２、皮脂適格性のスコアを１に割り当てて、合計した値を肌状態のスコアとする。なお、スコアは正の整数ではなく、小数で表現されていてもよいし、負の数で表されてもよい。
【００５０】
角層細胞の解析による保水能力スコア及び皮脂適格性のスコアの認識を第１認識方法と呼ぶ。第１認識方法は、これに代えてまたは加えて、角層水分量計によりユーザの肌の水分量を計測する方法及び皮脂量計によりユーザの肌の皮脂量を計測する方法のうち少なくとも１つを含む。また、第１の認識方法によるユーザの肌の認識を定期的に行うため、肌状態認識部１１は、定期的にユーザ端末３０に角質採取テープ３７等の使用を促すメッセージを送信したりすることにより、ユーザに行動を促す。このときの「定期的」というのは厳密に時間的に等間隔である必要はなく、肌状態に影響が出ない範囲で等間隔であれば良い。例えば、３ヶ月ごとに第１の認識方法を実施する場合において、１月１日に初回を実施した場合、ちょうど３か月後の４月１日のみならず、例えばその１週間前の３月２４
日前後にユーザ端末３０にメッセージを送信してもよいし、例えばその１週間後の４月８日前後にユーザ端末３０にメッセージを送信してもよい。また、長期的にサービスを提供するときなどは、例えば細かい改善を調べたい時は１ヶ月ごとに第１の認識方法を設定し、肌状態に対する季節変化の影響を調べるために３か月ごとに第１の認識方法を設定するなど、認識のタイミングは変更可能である。
【００５１】
アンケート入力による肌状態の主観データに基づいて主観スコアの認識及びユーザＵａの肌画像データに基づく肌画像スコアの認識のそれぞれを第２認識方法と呼ぶ。第２認識方法は、アンケート入力による肌状態の主観データに基づいて主観スコアの認識及びユーザＵａの肌画像データに基づく肌画像スコアの認識の一方によってユーザＵａの肌状態を認識してもよいし、これらと異なる方法を含んでもよい。また、第２認識方法は、第１の認識方法よりも頻繁に行われる。これは角質採取テープ３７の使用・郵送が手間的にも煩雑かつ値段的にも高価になってしまうためである。また、角質採取テープ３７の使用が頻繁であると、ユーザＵａの肌へ悪影響が及ぶおそれもある。
【００５２】
例えば３か月間ごとに第１の認識方法が実施され、第２の認識方法は毎日実施にされる。また、第１の認識方法の実施と第２の認識方法の実施のタイミングが重なる時は、できれば同じタイミングで実施されると精度の良いデータが取れるために好ましい。ただし第１の認識方法の実施時に第２の認識方法が実施されなくても本発明の実施は可能であるし、効果も得られる。
【００５３】
なお、主観スコアは、主観データに基づいて認識されたスコアであればよい。
【００５４】
体状態の主観データと客観データは、図９に示したように分けられている。詳細な定義は後述するが、肌の主観データおよび客観データと同様に、主観データはユーザＵａの主観によって判定される項目、客観データは検査結果や画像解析、事実情報に基づいたデータである。体状態の主観データは、ユーザＵａが肌サポートアプリ３５ａを通じてアンケートを入力することによって取得される。客観データは、ユーザＵａがユーザ端末３０のカメラ３３を用いて撮像されたユーザＵａの舌・唇の画像データ、ユーザ端末３０の接続端子４０に接続された測定機器４５により測定されたユーザＵａの血圧、不整脈、尿中成分、血中成分等の測定データと、肌サポートアプリ３５ａにおけるアンケート入力により取得された頭痛又は肩こり等の体調不良の回数、疲労度判定等のデータである。なお、将来の肌ケア以外のサービスへの展開に備えて、種々の病気の発生情報などについても初
期ユーザ情報データに含めてもよい。
【００５５】
心状態の主観データと客観データは、図１０に示したように分けられている。詳細な定義は後述するが、肌の主観データおよび客観データと同様に、主観データはユーザＵａの主観によって判定される項目、客観データは検査結果や画像解析、事実情報に基づいた
データである。主観データは、肌サポートアプリ３５ａにおけるアンケート入力によって取得される。客観データは、肌サポートアプリ３５ａにおけるアンケート入力（一日の笑った頻度等）と、測定機器による測定（脈拍モニタリングからの心理状態推定等）とにより取得される。なお、将来の肌ケア以外のサービスの展開に備えて、種々の精神疾患の発生情報についても初期ユーザ情報データに含めてもよい。
【００５６】
肌状態認識部１１は、認識したユーザＵａの肌、体、心の状態の主観データ及び客観データを、サポートＤＢ２０に記憶する。
【００５７】
肌状態認識部１１は、このようにして初期ユーザ情報データから認識したユーザＵａの肌状態、体状態、及び心状態の主観データと客観データに基づいて、図８の右側の三角形で示したように、肌状態を１〜９、体状態を１〜６、心状態を１〜６の各スコアで表した
３軸の初期値を設定する。なお、肌状態のスコアと同様に、体状態又は心状態の主観データ及び客観データから体状態又は心状態の主観スコア及び客観スコアが算出され、それらに基づいて体状態のスコア及び心状態のスコアとして扱われてもよい。
【００５８】
さらに、施策グループ選択部１２は、初期ユーザ情報データに含まれる「なりたい肌スコア」「施策のカテゴリー、希望、頻度」及び「現在行っている施策」を取得する。「なりたい肌スコア」「施策のカテゴリー，希望，頻度」及び「現在行っている施策」は、肌サポートアプリ３５ａにより、ユーザＵａが入力したものである。
【００５９】
ここで、「なりたい肌スコア」において、「なりたい肌」とは、乾燥感改善、ごわつき改善、敏感肌改善、ニキビ改善、しぼみ感改善、シミ改善、シワ改善、たるみ改善、くすみ改善、くま改善、顔色改善、及びハリ改善の中から選択された肌状態の改善対象である。また、「スコア」とは、各対象の肌状態に対するユーザＵａの満足度であって、肌サポートアプリにおいて１〜１０の１０段階でユーザが選択したスコアである。
【００６０】
サポートＤＢ２０は、各改善対象に関連付けられた肌状態の主観状態の改善傾向及び客観状態の改善傾向を記憶している。例えば、図１１Ｃに示されるように、「乾燥感改善」には、肌状態の主観状態「乾燥感改善」と、肌状態の客観状態の基準「保水能力と皮脂適格性との差を最小化」とが関連付けられている。
【００６１】
例えば、「なりたい肌」が「乾燥感改善」であり、現状の肌状態の乾燥感の満足度のスコアが３であるときに、ユーザＵａの選択に応じて、「乾燥感改善」と関連付けられたユーザＵａの肌状態の主観状態「乾燥感改善」についての満足度５が主観的な目標スコアとして設定される。
【００６２】
また、施策グループ選択部１２は、「乾燥感改善」に関連付けられた肌状態の客観的な改善対象を設定する。例えば、施策グループ選択部１２は、「乾燥感改善」に関連付けられた基準「保水能力と皮脂適格性との差を最小化」に基づいて、ユーザＵａの肌状態のうち、保水能力よりも低い皮脂適格性の値２を客観的な目標スコアとして設定する。
【００６３】
また、「施策のカテゴリー、希望、頻度」において、カテゴリーとしては「食生活、自宅での行動、運動、化粧品の使い方」等、希望としては「難易度、時間制約、肌ケアを行うシーン」等、頻度としては「１日当たりのアドバイスを受ける回数」等が選択される。
【００６４】
「現在行っている施策」は、ユーザＵａがすでに行っている施策であり、「湯船につかる」等の内容及び頻度又は程度などにより表される。
【００６５】
［Ｅ．スケジュール決定工程］
図３に示した「２．スケジュール決定」の工程は、施策グループ選択部１２及び施策情報送信部１３により実行される。施策グループ選択部１２は、図４のＳＴＥＰ１２で、ゴール（主観的な目標スコア及び客観的な目標スコア）を達成するための施策グループを選択する。この選択は、上述した各改善対象に関連付けられた、肌状態の主観状態の改善傾向と肌状態の客観状態の改善傾向と適した周辺環境とを考慮して行われる。施策グループ選択部１２は、あらかじめ登録された地域またはＧＰＳセンサ等によって検出された位置情報と、端末の時計機能から取得した日時とに基づいて、スケジュール期間におけるユーザＵａの周辺環境の温度、湿度等を予測する。
【００６６】
例えば、施策グループ選択部１２は、カテゴリーの希望が「自宅での行動、食生活、運動」であり、梅雨の時期のように湿度が平均５０％と予測される季節であり、主観的な目標スコアが「乾燥感」の満足度５以上、客観的な目標スコアが皮脂適格性２以上である場
合、主観状態の改善傾向が「乾燥感改善」を含み、客観状態の改善傾向が「皮脂適格性向上」を含み、カテゴリーに「自宅での行動、食生活、運動」のいずれかであり、適した周辺環境が湿度５０％と矛盾しない施策を選択する。
【００６７】
ここで、主観状態の改善傾向及び客観状態の改善傾向は、予め担当者Ｔ等の専門家によって定められたものであってもよいし、サポートＤＢ２０に記憶された他のユーザＵｂ、Ｕｃが実施した施策と他のユーザＵｂ、Ｕｃの肌状態の時系列的変化に基づいて推定される主観状態の改善傾向及び客観状態の改善傾向であってもよいし、実施した施策とユーザＵａの肌状態の時系列的変化がサポートＤＢ２０に保存されている場合には、当該情報に基づいて推定される主観状態の改善傾向及び客観状態の改善傾向であってもよい。
【００６８】
例えば、サポートＤＢ２０には、他のユーザＵｂ、Ｕｃのそれぞれが実施した施策と、その施策を実施した前後の他のユーザＵｂ、Ｕｃそれぞれごとの肌状態の主観データの時系列的変化及び他のユーザＵｂ、Ｕｃそれぞれごとの肌状態の客観データの時系列的変化の一方又は両方とが記憶される。
【００６９】
また、例えば、サポートＤＢ２０には、他のユーザＵｂ、Ｕｃのそれぞれが実施した施策「湯船につかる」と、その施策を実施した前後における、他のユーザＵｂ、Ｕｃそれぞれの肌状態の主観状態の時系列的変化としての「乾燥感についての満足度」が記憶されているとする。
【００７０】
このとき、施策グループ選択部１２は、各他のユーザＵｂ、Ｕｃごとに、施策「湯船につかる」について、例えば、湯船につかる前日と、湯船につかった日の肌状態の主観データ（乾燥感についての満足度）の変化量を算出する。そして、施策グループ選択部１２は、各他のユーザＵｂ、Ｕｃごとの乾燥感についての満足度の変化量の平均値をとる。施策グループ選択部１２は、例えば、「乾燥感についての満足度」の変化量の平均値が所定値以上である場合に、施策「湯船につかる」の主観状態の改善傾向を「乾燥感改善」と認識する。客観状態の改善傾向についても、主観状態の改善傾向と同様に認識できる。
【００７１】
施策グループ選択部１２は、ユーザＵａの年齢及び肌状態に基づいて、同年代、同様の肌状態等、処理対象とする他のユーザＵｂ、Ｕｃの範囲を絞ってもよい。
【００７２】
また、施策グループ選択部１２は、サポートＤＢに実施した施策とユーザＵａの肌状態の時系列的変化が保存されている場合には、上記と同様にして算出した当該情報に基づいて推定される主観状態の改善傾向及び客観状態の改善傾向を認識してもよい。
【００７３】
施策グループ選択部１２は、ユーザＵａの第１回目のスケジュール決定工程においては、他のユーザＵｂ、Ｕｃの肌状態の主観データ、客観データから上記主観状態の改善傾向及び客観状態の改善傾向を認識し、ユーザＵａの第２回目のスケジュール決定工程においてはユーザＵａの肌状態の主観データ、客観データから主観状態の改善傾向及び客観状態の改善傾向を認識してもよい。
【００７４】
施策グループ選択部１２は、肌状態のみならず、心状態、体状態についても同様に主観状態の改善傾向及び客観状態の改善傾向を認識し、当該心状態、体状態の主観状態の改善傾向及び客観状態の改善傾向を加味して施策を選択してもよい。
【００７５】
施策グループ選択部１２は、「現在行っている施策」と同内容及び同頻度または同程度の施策を施策グループから除外してもよい。ユーザが既に行っている施策は、提案するまでもないと考えられるからである。
【００７６】
図１１Ａの例では、施策グループ選択部１２は、「湯船につかる」「ビタミンＣ摂取」「野菜摂取」「１万歩以上歩く」を含むように複数の施策の組合せである施策グループを選択する。
【００７７】
施策情報送信部１３は、施策グループの中から、ユーザＵａの「施策のカテゴリー、希望、頻度」に応じて施策の優先度を評価し、当該優先度に従って初期の施策を決定する。図１２には、初期の施策として「湯船につかる」「野菜摂取」「１万歩以上歩く」が選択されたスケジュールの例を示している。施策情報送信部１３は、このようにして決定したスケジュールの内容を示すスケジュールデータをユーザ端末３０に送信する。
【００７８】
施策情報送信部１３は、併せて、ユーザＵａの指定を基に、一定期間の各工程の実施の計画を作成する。図１１Ｂには、ＳＴＡＲＴ時にゴール設定とスケジュール決定を行い、毎日モニタリングをし、１週間ごとにスケジュール修正を行い、１か月後に進捗グラフを作成し、３か月目にゴール判定と新たなゴール設定を行うという一連のイベントの計画が示されている。施策情報送信部１３は、ユーザＵａの指定に加えてまたは代えて、あらかじめ定められた、一定期間の各工程の実施の計画を用いてもよい。
【００７９】
ユーザ端末３０において、図６のＳＴＥＰ５２で、肌サポートサーバ１０からスケジュールデータを受信すると、肌サポートアプリ３５ａは、図１２に示したようなスケジュールの実行表及び図１１Ｂに示したような作業内容の計画を表示可能にして、ユーザＵａによる各施策の実施を促す。図１２のスケジュールの実行表においては、各施策（「湯船につかる」、「野菜摂取」、「１万歩以上歩く」）の内容が表示される。
【００８０】
［Ｆ．モニタリング工程］
図３に示した「３．モニタリング」の工程は、ユーザＵａが肌サポートアプリ３５ａ上で設定した期間ごとに（図１１Ｂでは毎日）、肌状態認識部１１及び施策情報送信部１３により実行される。肌サポートアプリ３５ａの利用を開始したユーザＵａは、ユーザ端末３０により、日々の肌、体、心の各状態と、スケジュールにより指示された施策の実施状況と、スケジュールにより指示された施策以外のユーザＵａの自主的な行動（施策外行動）の実施状況とを入力する。施策の実施状況には、「湯船につかる」、「野菜摂取」、「１万歩以上歩く」をそれぞれ実施したかどうかを示す情報のほか、「３０分」および「湯船につかる」、「３００ｇ」および「野菜を摂取」、「１万５千歩」および「歩く」など、時間、量などで表される施策の実行の度合いが含まれる。
【００８１】
肌サポートアプリ３５ａは、図６のＳＴＥＰ５３で、ユーザＵａにより肌、体、心の状態が入力されるとＳＴＥＰ６０に処理を進め、上述した初期ユーザ情報データと同様に、ユーザＵａの肌、体、心の状態についての主観データと客観データを含む現状ユーザ情報データを肌サポートサーバ１０に送信してＳＴＥＰ５４に処理を進める。なお、肌サポートアプリ３５ａは、図６のＳＴＥＰ５３で、ユーザＵａにより肌、体、心の状態が入力されない場合、そのままＳＴＥＰ５４に処理を進める。ここで送信されるデータには、角質採取テープ３７によって採取された角層細胞に関するデータは含まれない。
【００８２】
また、肌サポートアプリ３５ａは、図６のＳＴＥＰ５４で、ユーザＵａによりスケジュールの実行状況（各施策の実行状況）が入力されたときにＳＴＥＰ６１に処理を進め、スケジュールの実行状況を示す実行状況データを肌サポートサーバ１０に送信して図７のＳＴＥＰ５５に処理を進める。なお、肌サポートアプリ３５ａは、図６のＳＴＥＰ５４で、ユーザＵａによりスケジュールの実行状況（各施策の実行状況）が入力されない時は、そのままＳＴＥＰ５５に処理を進める。
【００８３】
さらに、肌サポートアプリ３５ａは、図７のＳＴＥＰ５５で、ユーザＵａにより施策外
行動の実施状況が入力されたときにＳＴＥＰ６２に処理を進め、実施された施策外行動の内容を示す施策外行動実施データを肌サポートサーバ１０に送信してＳＴＥＰ５６に処理を進める。なお、肌サポートアプリ３５ａは、図７のＳＴＥＰ５５で、ユーザＵａにより施策外行動の実施状況が入力されないときには、そのままＳＴＥＰ５６に処理を進める。
【００８４】
図４のＳＴＥＰ１３〜図５のＳＴＥＰ１６、及び図４のＳＴＥＰ２０〜ＳＴＥＰ２２は、施策情報送信部１３による処理である。肌状態認識部１１は、ＳＴＥＰ１３でユーザ端末３０から現状ユーザ情報データを受信したときにＳＴＥＰ２０に処理を進め、現状ユーザ情報データをサポートＤＢ２０に蓄積してＳＴＥＰ１４に処理を進める。なお、肌状態認識部１１は、ＳＴＥＰ１３でユーザ端末３０から現状ユーザ情報データを受信しないときは、ＳＴＥＰ１４にそのまま処理を進める。
【００８５】
また、施策情報送信部１３は、ＳＴＥＰ１４でユーザ端末３０から実行状況データを受信したときにＳＴＥＰ２１に処理を進め、実行状況データをサポートＤＢ２０に蓄積してＳＴＥＰ１５に処理を進める。一方で、ＳＴＥＰ１４でユーザ端末３０から実行状況データを受信していないと判定された場合は、そのままＳＴＥＰ１５に処理を進める。
【００８６】
さらに、施策情報送信部１３は、ＳＴＥＰ１５でユーザ端末３０から施策外行動実施データを受信したときにＳＴＥＰ２２に処理を進め、施策外行動実施データをサポートＤＢ２０に蓄積して図５のＳＴＥＰ１６に処理を進める。一方で、施策情報送信部１３は、ＳＴＥＰ１５でユーザ端末３０から施策外行動実施データを受信しない時は、そのまま図５のＳＴＥＰ１６に処理を進める。
【００８７】
図５に移って、ＳＴＥＰ１６で、施策情報送信部１３は、サポートＤＢ２０に蓄積されたユーザＵａの初期ユーザ情報データ、現状ユーザ情報データ、実行状況データ、及び施策外行動実施データ等に基づいて、スケジュールの進捗状況を示す進捗表データを作成し、この進捗表データをユーザ端末３０に送信する。
【００８８】
ここで、スケジュールの進捗表は、例えば図１２に示したように、上から順に、肌状態（ここでは乾燥肌）のスコア、体状態のスコア、心状態のスコア、施策（湯船につかる、野菜摂取、１万歩以上歩く）の実施状況、暮らし情報（野菜摂取量、水分摂取量）、及び暮らし特殊事例が、１日単位で表示する構成となっている。
【００８９】
また、スケジュール進捗表には、施策の実行度合い（「３０分」湯船につかる、「３００ｇ」野菜摂取、「１万５千歩」歩く）が含まれている。
【００９０】
ユーザ端末３０において、肌サポートアプリ３５ａは、図７のＳＴＥＰ５６で、肌サポートサーバ１０から送信された進捗表データを受信したときにＳＴＥＰ６３に処理を進め、進捗表データをメモリ３６に保持する。肌サポートアプリ３５ａは、メモリ３６に格納された進捗表データを用いて、図１２に示した進捗表をユーザ端末３０の表示器３１に表示する。
【００９１】
また、肌サポートアプリ３５ａは、進捗表データの他に、通信を介して認識した、肌サポートサーバ１０のサポートＤＢ２０に蓄積されたユーザＵａの初期ユーザ情報データ、現状ユーザ情報データ、実行状況データ、施策外行動実施データ等を用いて、ユーザＵａの肌、体、心の各状態の推移や変化を示す情報を、ユーザ端末３０の表示器３１に表示する。
【００９２】
例えば、肌サポートアプリ３５ａは、図１３に示したように、スケジュールによる施策以外のユーザＵａの行動（洗顔法の変更、マッサージを受けた等）、及びユーザの体調（
生理、睡眠不足等）と、ユーザＵａの肌状態の変化の関係を日単位の時系列グラフで、表示器３１に表示する。
【００９３】
また、肌サポートアプリ３５ａは、図１４に示したように、一カ月単位で、ユーザＵａの角質状態を含む肌状態、心理状態、肌ケアの満足度、及び化粧品の使い方の評価値の変化を対比したレーダーチャートを表示器３１に表示する。
【００９４】
ユーザＵａは、肌サポートアプリ３５ａによるこれらの表示を視認して、自身の肌、体、心の各状態の変化を確認することにより、肌の改善度と共に、体と心の状態の変化も把握することができるため、肌、体、及び心の状態をバランス良く改善しながら、目標とする肌状態のゴールへの到達することができる。
【００９５】
また、肌サポートアプリ３５ａは、ＳＴＥＰ６３の後、ＳＴＥＰ６４に進み、図１９に示される予測スコア出力処理を実行する。予測スコア出力処理の詳細については後述する。
【００９６】
［Ｇ．スケジュール修正］
図３に示した「４．スケジュール修正」の工程は、ユーザＵａが肌サポートアプリ３５ａ上で設定した期間ごとに（図１１Ｂでは１週間ごとに）、施策情報送信部１３により実行される。図５のＳＴＥＰ１７〜ＳＴＥＰ２０、及びＳＴＥＰ３０〜ＳＴＥＰ３３が、施策情報送信部１３による処理である。
【００９７】
施策情報送信部１３は、ＳＴＥＰ１７で、サポートＤＢ２０に蓄積されたユーザＵａの初期ユーザ情報データ、現状ユーザ情報データ、及び実行状況データ等に基づいて、ユーザＵａ肌状態の目標達成度、スケジュールに組み込まれた各施策の実行度、及び各施策の効果を評価する。
【００９８】
施策情報送信部１３は、図１５Ａに示した施策の評価基準を用いて、肌状態と体又は心の状態との相関関係を抽出し、この相関関係に基づいて、スケジュールに組み込まれた各施策の継続、施策グループからの除外、施策の中止、別の施策への変更を判断する。
【００９９】
図１５Ａの評価基準では、判定項目として、実施の有無、肌への影響、体への影響、心への影響という四項目が使用され、実施率が所定実施率を超え、肌に良い影響があり、且つ、体と心に悪い影響がない施策については、Ａ評価となって継続と判断される。なお、図１５Ａでは、実施率が所定の実施率を超えた施策を「実施」として表記し、実施率が所定の実施率以下であった施策を「不実施」として表記している。図１２及び図１５Ｂでも同様である。
【０１００】
施策の影響のタイミングと影響が継続する期間が施策ごとに定められている場合、施策情報送信部１３は、施策の影響のタイミングと施策の影響が継続する期間に基づいて、各施策の影響を判定してもよい。
【０１０１】
例えば、「湯船につかる」という施策の肌への影響、体への影響、心への影響は、翌日に影響が出、１日だけ継続すると定められていた場合、施策情報送信部１３は、例えば１２月１５日の「湯船につかる」という施策の影響は、１２月１６日の各状態に反映されていると判断する。
【０１０２】
また、「野菜摂取」という施策の肌への影響、体への影響、心への影響は、１週間後に影響が出、３日だけ継続すると定められていた場合、施策情報送信部１３は、例えば１２月１５日の「野菜摂取」という施策の影響は、１２月２２日〜１２月２４日の各状態に反
映されていると判断する。
【０１０３】
それに対して、実施され、肌に良い影響があるが、体と心のいずれかに悪い影響がある施策については、Ｂ評価となって中止或は別施策への変更と判断される。また、実施率が所定の実施率以下となった施策はユーザＵａにとって負荷が大きかったと考えられるため、Ｃ評価となって中止或は別施策（例えば、ユーザＵａの負荷が軽減する施策又は別の施策）への変更と判断される。
【０１０４】
施策情報送信部１３は、各施策を１日だけ実施することで肌、体、心への良いまたは悪い影響があるかの評価を行っても良いし、数日や数週間などの一定期間において各施策を実施することで、肌、体、心への良いまたは悪い影響があるかの評価を行ってもよい。一定期間で評価を行う場合、施策情報送信部１３は、例えば、一定割合でいずれかの状態に悪影響が出た場合にＢ評価とし、実施割合が一定以下である場合にＣ評価とし、それ以外の場合Ａ評価としてもよい。これに代えて、施策情報送信部１３は、例えば、一定期間におけるいずれかの状態の満足度の平均値が所定以下となった場合にＢ評価としてもよい。また、１日におけるいずれかの状態の満足度が所定以下となり、かつ、一定期間におけるいずれかの状態の満足度の平均値が所定以下となった場合にＣ評価とし、１日の評価におけるいずれかの状態の満足度が所定以下となり、または、一定期間におけるいずれかの状態の満足度の平均値が所定以下となった場合にＢ評価とし、１日におけるいずれかの状態の満足度が所定値を超え、かつ、一定期間におけるいずれかの状態の満足度の平均値が所定値を超えた場合にＡ評価とするなど、１日の評価と一定期間の評価とを組み合わせて用いてもよい。
【０１０５】
また、施策情報送信部１３は、図８に示した肌状態のスコアの向上度が所定の向上度以下である場合に、当該肌状態のスコアの向上度が所定の向上度以下である施策を施策グループから除外してもよい。施策情報送信部１３は、体状態又は心状態のスコアの向上度が所定の向上度以下である場合に、体状態又は心状態のスコアの向上度が所定の向上度以下である施策を施策グループから除外してもよい。
【０１０６】
図１５Ｂは、図１５Ａに示した評価基準を、本実施形態における施策（湯船につかる、野菜摂取、１万歩以上歩く）に適用した例を示している。図１５Ｂにより、施策情報送信部１３は、「湯船につかる」についてはＡ評価として、次のスケジュールでの継続を決定し、「野菜摂取」についてはＢ評価として、施策グループからの除外、次のスケジュールでの中止或は他の施策への変更を決定し、「１万歩以上歩く」についてはＣ評価として、施策グループからの除外、次のスケジュールでの中止或は他の施策への変更を決定している。
【０１０７】
施策情報送信部１３は、複数の施策が行われた影響については、それらの施策の組合せごとに判断する。例えば、施策情報送信部１３は、「湯船につかる」「野菜摂取」の組合せが、Ｂ評価又はＣ評価であった場合、「湯船につかる」若しくは「野菜摂取」の単独の施策のみとするか、又はこれらのいずれかの施策と別な施策との組み合わせとするように変更してもよい。
【０１０８】
施策情報送信部１３はこのような評価処理を行って、スケジュール修正（主として施策グループの他の施策への変更による修正）の要否を判断し、スケジュール修正が必要と判断したときには、ＳＴＥＰ３０に処理を進めてスケジュールを修正する。そして、修正したスケジュールのデータであるスケジュール修正データをユーザ端末３０送信して、ＳＴＥＰ１９に処理を進める。一方、スケジュールの修正が不要であると判断したときには、施策情報送信部１３は、図５のＳＴＥＰ１８から図５のＳＴＥＰ１９に処理を進め、この場合はスケジュールは修正されない。
【０１０９】
次に、施策情報送信部１３は、ＳＴＥＰ１９で、初期ユーザ情報データ、現状ユーザ情報データ、及び施策外行動実施データ等に基づいて、ユーザＵａが行った各施策外行動（スケジュールに組み込まれている施策以外に、ユーザが行った行動）を評価する。
【０１１０】
施策情報送信部１３は、図１６Ａに示した施策外行動の評価基準を用いて、施策外行動の推奨の有無又は禁止の提案を判断する。図１６Ａの評価基準では、判定項目として、肌、体、心の各状態への影響が使用される。
【０１１１】
そして、「肌、体、心のいずれかに良い影響があり、且ついずれについても悪い影響が無い」場合は、Ｄ評価となって実施が推奨される。それに対して、「肌、体、心のいずれかに悪い影響がある」場合は、Ｅ評価となって禁止が提案される。また、「肌、体、心のいずれにも影響が無い」場合には、Ｆ評価となって実施が推奨されない。
【０１１２】
図１６Ｂは、図１６Ａに示した評価基準を、本実施形態における施策外行動（マッサージを受けた、チョコレートを大量に摂取した）に適用した例を示している。図１６Ｂにより、施策情報送信部１３は、「マッサージを受ける」についてはＤ評価として、次のスケジュールでの実施の推奨を決定している。また、「チョコレートの大量摂取」についてはＥ評価として、次のスケジュールでの止めるための施策（例えば、和菓子を摂取する代替案）の提案を決定している。
【０１１３】
施策情報送信部１３は、スケジュールに組み込まれた施策の中止或は変更、又は施策外行動について、実施の推奨或は禁止の提案を決定したときには、ＳＴＥＰ２０からＳＴＥＰ３１に処理を進める。そして、推奨を決定したときはＳＴＥＰ３１からＳＴＥＰ３３に処理を進め、施策外行動の実施を推奨する施策外行動推奨データをユーザ端末３０に送信して、図４のＳＴＥＰ１３に処理を進める。
【０１１４】
一方、施策情報送信部１３は、禁止の提案を決定したときには、ＳＴＥＰ３１からＳＴＥＰ３２に処理を進め、施策外行動の禁止を提案する施策外行動禁止データをユーザ端末３０に送信して、図４のＳＴＥＰ１３に処理を進める。
【０１１５】
また、施策情報送信部１３は、推奨又は禁止を提案する施策外行動がない場合には、ＳＴＥＰ２０から図４のＳＴＥＰ１３に処理を進める。なお、禁止を提案する施策外行動に代替行動がある場合には、禁止の提案に代えて代替行動への変更を提案する施策外行動禁止データをユーザ端末３０に送信するようにしてもよい。
【０１１６】
ユーザ端末３０において、肌サポートアプリ３５ａは、図７のＳＴＥＰ５７で、肌サポートサーバ１０からスケジュール修正データを受信すると、ＳＴＥＰ６５に処理を進め、スケジュール修正データに基づいてスケジュールを修正する。そして、肌サポートアプリ３５ａは、メモリ３６に保持されたスケジュールデータを更新して、処理をＳＴＥＰ５８に進める。
【０１１７】
また、肌サポートアプリ３５ａは、図７のＳＴＥＰ５８で、肌サポートサーバ１０から施策外行動推奨データ又は施策外行動禁止データを受信すると、ＳＴＥＰ６６に処理を進め、受信したデータに応じて、施策外行動を推奨又は禁止の提案を報知する画面をユーザ端末３０の表示器３１に表示する。なお、この報知は、例えば図１２に示した進捗表に報知メッセージを表示して行ってもよい。また、推奨する施策外行動を、新たな施策としてスケジュールを修正してもよい。
【０１１８】
［Ｈ．ゴール判定工程］
図３に示した「５．ゴール判定」の工程は、ユーザＵａが肌サポートアプリ３５ａ上で設定した期間ごとに（図１１ＢにおいてはＳＴＡＲＴから３か月後）、肌状態認識部１１、施策グループ選択部１２及び施策情報送信部１３により実行される。
【０１１９】
肌サポートアプリ３５ａは、角質採取テープ３７の使用と、角質採取テープ３７の郵送を促すメッセージをユーザ端末３０の表示器３１に表示する。
【０１２０】
肌状態認識部１１は、郵送された角質採取テープ３７から得られた情報に基づいて、肌状態の客観値（保水能力、皮脂適格性など）を認識する。
【０１２１】
また、肌サポートアプリ３５ａは、アンケートの回答、肌等の撮像の使用を促すメッセージをユーザ端末３０の表示器３１に表示し、得られた情報を送信する。
【０１２２】
肌状態認識部１１は、肌サポートアプリ３５ａから得られた情報に基づいて、肌の乾燥感の主観値（主観スコア）と、肌状態の客観値（肌の画像スコア）を認識する。
【０１２３】
施策グループ選択部１２及び施策情報送信部１３は、肌の乾燥感の主観値と、肌状態の客観値とに基づいて、肌状態のサポート開始時と３カ月後における評価値を比較して、ゴール達成度を判定する。
【０１２４】
図１７の例では、乾燥感の主観値のスコアが３カ月で３から５に増加しているので達成（○）と判定し、客観値についても、肌の画像スコアが３カ月で３から４に増大し、保水能力が２に維持され、皮脂適格性が１から２に増大しているので達成（○）と判定されている。そして、主観値と客観値が共にゴールを達成しているので、トータルとしてもゴールを達成したと判定している。
【０１２５】
肌状態認識部１１及び施策グループ選択部１２は、ゴールを達成した場合には新たなゴールを設定するため、図３に示した「１．ゴール設定」の工程を再度実行する。肌状態認識部１１及び施策グループ選択部１２は、ゴール未達の場合は、「２．スケジュール決定」工程を実施してもよいし、ユーザの希望または進捗に応じて「１．ゴール設定」の工程を再度実行してもよい。
【０１２６】
［Ｉ．２次データ生成］
図３に示した「６．２次データ生成」の工程は、２次データ生成部１９により実行される。２次データ生成部１９は、複数のユーザＵから送信される初期ユーザ情報データ、角層細胞解析データ、現状ユーザ情報データ、実行状況データ、施策外行動実施データ等の各種データ（以下、ユーザ個別データという）を、ユーザごとにサポートＤＢ２０に順次蓄積する。
【０１２７】
そして、２次データ生成部１９は、サポートＤＢ２０に蓄積されたユーザ個別データを分析して、例えば図１８に示したように、各ユーザの特性（性別、年齢、居住地、嗜好、ライフスタイル等）、サポートの改善対象（乾燥感、ごわつき、敏感、ニキビ、しぼみ感等）、スケジュールにより提案された施策（湯船につかる、野菜摂取、１万歩以上歩く等）、及び施策の実施による肌、体、心の各状態の変化等を関連付けた２次データを生成する。
【０１２８】
また、２次データ生成部１９は、施策外行動についても図１８と同様に、各ユーザの特性と施策外行動の実施による肌、体、心の各状態の影響とを関連付けた２次データを生成する。
【０１２９】
このようにして生成された２次データは、同様の特性を有するユーザについて、体及び心に良い影響を与えつつ肌状態の改善を図るために有効な施策を選択する際に、有効に活用することができる。例えば、上述した図３の「２．スケジュール決定」の工程において、施策グループ選択部１２は、２次データを参照して、ユーザＵａの特性に適合した施策を選択することができる。
【０１３０】
また、上述した図３の「４．スケジュール修正」の工程において、施策情報送信部１３は、ユーザＵａの肌、体、心の各状態の推移に応じてスケジュールを変更する際に、２次データを参照して、より有効な施策或は施策外行動を組み込んだスケジュールに変更することができる。
【０１３１】
さらに、２次データは、肌状態のサポートを行う上で有効に利用できると共に、ある特性を有するユーザ（例えば、東京に住む３０代のアウトドア志向の女性等）をターゲットとしたマーケティング等の目的にも利用することができる。そのため、２次データを図１に示した他のシステム６０等に提供してもよい。
【０１３２】
［Ｊ．予測スコア表示処理（第１実施形態）］
図１９〜図２３を参照して、図７のＳＴＥＰ６４の第１実施形態の予測スコア表示処理を説明する。第１実施形態の予測スコア表示処理においては、ユーザＵａの行動に応じてユーザＵａの指定状態の目標スコアを達成するまでの期間が認識され、当該期間に応じてユーザＵａの指定状態のスコアの時系列的な変化が予測される。
【０１３３】
図１９のＳＴＥＰ１０１において、目標スコア認識部は、肌サポートサーバ１０のサポートＤＢ２０に蓄積されたユーザＵａの肌状態、体状態又は心状態のうちの少なくとも１つである指定状態の目標スコアを認識する。本実施形態においては、ユーザの指定状態はユーザの肌状態であるとして以下説明を行う。
【０１３４】
なお、目標スコアは、主観目標スコアであってもよいし、客観目標スコアであってもよいし、主観目標スコア及び客観目標スコアのセットであってもよい。
【０１３５】
目標スコアは、例えば、項目ごとのスコアのセット、例えば、肌状態の乾燥感ごとのスコアのセットであってもよいし、これらの項目ごとのスコアから項目ごとの所定の係数による重みづけ平均等により算出された値であってもよい。
【０１３６】
図１９のＳＴＥＰ１０２において、行動認識部は、肌サポートサーバ１０のサポートＤＢ２０に蓄積された実行状況データ、施策外行動実施データから、指定の期間におけるユーザＵａの行動（施策に含まれる行動及び施策外行動の一方または両方）のそれぞれを認識する。
【０１３７】
指定の期間は、指定状態が肌状態である場合には１日であることが望ましく、たとえばアプリの実行の前日から当日までである。これに代えて、例えば、施策の種類よっては、指定の期間は１週間、１か月等であってもよい。
【０１３８】
前述したように、実行状況データは、図６のＳＴＥＰ５４で入力され、図６のＳＴＥＰ６１で肌サポートサーバ１０に送信されたスケジュールの実行状況（施策の実行状況）に関するデータである。
【０１３９】
施策外行動実施データは、図６のＳＴＥＰ５５で入力され、図６のＳＴＥＰ６２で肌サポートサーバ１０に送信された施策外行動の実施の状況に関するデータである。
【０１４０】
なお、施策は、ユーザが実行を希望する行動としてユーザの意思に基づいて肌サポートサーバ１０に登録された行動であり、施策外行動は、ユーザが実行した行動であるものの、肌サポートサーバ１０に登録されていない行動である。
【０１４１】
なお、補足すると、図６のＳＴＥＰ５３、ＳＴＥＰ５４、図７のＳＴＥＰ５５では、図２０に示されるような画面（以下、ホーム画面という。）が表示器３１に出力され、このホーム画面の特定箇所に入力された値が、それぞれ、肌、体、心の状態、スケジュールの実行状況及び施策外行動の実施の状況として認識される。
【０１４２】
図２０に示されるホーム画面には、画面最下部の画面リンクＰ０００、画面右上の日付表示Ｐ０１０、画面上部にある肌状態入力表示Ｐ０２０、第１行動入力表示Ｐ０３０、画面中段にある体状態入力表示Ｐ０４１、心状態入力表示Ｐ０４２、画面下段にある第２行動入力表示Ｐ０５０、第３行動入力表示Ｐ０６０及び登録ボタンＰ０７０が含まれている。
【０１４３】
画面リンクＰ０００は、ホーム画面にリンクされたホームボタンＰ００１と、ユーザデータの一覧表示の画面にリンクされた一覧表示ボタンＰ００２と、ユーザデータのグラフを表示する画面にリンクされたグラフ表示ボタンＰ００３と、施策の設定等を行う設定画面にリンクされた設定ボタンＰ００４とが含まれる。
【０１４４】
日付表示Ｐ０１０は、入力されるユーザの情報の日付の表示である。原則的には、日付表示Ｐ０１０は、肌サポートアプリ３５ａを実行した日付の表示であるが、例えば、ユーザＵａが過日に入力していなかったデータがあり、ユーザＵａが当該データを入力するための操作を行った場合には、その対象の日付が表示されてもよい。
【０１４５】
肌状態入力表示Ｐ０２０は、ユーザの肌状態を入力するための画面の部分である。肌状態入力表示Ｐ０２０は、本実施形態では、スライドバーＰ０２１と、アイコンＰ０２２、Ｐ０２３とにより構成され、ＶＡＳ（Ｖｉｓｕａｌ  Ａｎａｌｏｇ  Ｓｃａｌｅ）によるユーザの肌状態に関する主観値を入力を可能としている。
【０１４６】
アイコンＰ０２３は、アイコンＰ０２２よりも薄い色合いで表示されている。たとえばアイコンＰ０２２が深緑色に対してアイコンＰ０２３が灰色など、濃淡さえつけば異なる系統の色でもよい。アイコンＰ０２３は、比較対象の日時におけるユーザＵａの肌状態の主観値（たとえば夕方に入力する場合には、以前に入力された朝のユーザＵａの肌状態または前日のユーザＵａの肌状態）を示す。このように、以前に入力された肌状態の主観値を識別可能な態様で表示することにより、比較対象の日時における肌状態の主観値と対比した形で肌状態の主観値を入力させることができるようになる。
【０１４７】
また、本実施形態では、ユーザＵａの肌状態の主観値としてのユーザＵａの肌の乾燥感の主観値を入力させるようになっている。これに代えて、例えば、複数のＶＡＳにより、複数の項目の肌状態を入力させるようにしてもよい。また、ユーザＵａの目標に基づいて、入力させる肌状態の項目が選択されてもよい。また、ユーザＵａにより入力された情報に基づいて、入力させる肌状態の項目が選択されてもよい。
【０１４８】
第１行動入力表示Ｐ０３０、第２行動入力表示Ｐ０５０及び第３行動入力表示Ｐ０６０は、それぞれユーザＵａの日々の行動を入力を受け付けるための表示である。
【０１４９】
第１行動入力表示Ｐ０３０は、行動の実行の度合い（睡眠の場合、睡眠時間）の入力を受け付けるための表示である。第１行動入力表示Ｐ０３０は、本実施形態では、ＶＡＳで構成され、スライドバーＰ０３１、アイコンＰ０３２及び実行の度合いの数値表示Ｐ０３
３を含む。タッチパネル３２が、ユーザＵａがスライドバーＰ０３１上に指をタッチさせたことを検知すると、肌サポートアプリ３５ａは、当該ユーザＵａの指の位置に対応させる画面上の位置にアイコンＰ０３２を表示させるとともに、数値表示Ｐ０３３を、当該ユーザＵａの指の位置に対応する実行の度合い（整数または小数）を示すように変化させる。
【０１５０】
第２行動入力表示Ｐ０５０は、各行動の実施の有無の入力を受け付けるための表示である。タッチパネル３２が、ユーザＵａによる第２行動入力表示Ｐ０５０のいずれかの位置の押圧操作を検知することで、肌サポートアプリ３５ａは、押圧操作された位置に対応するアイコンＰ０５１〜Ｐ０５３のそれぞれの位置を変更するとともに、アイコンの色を変更する。ここでは左側を未実施、右側が実施済みとなっている。図２０では、ユーザＵａが、「暴飲暴食」を行った一方、「１ｋｍ以上歩く」、「２０分以上の入浴」を行わなかったことを示している。
【０１５１】
第１行動入力表示Ｐ０３０、第２行動入力表示Ｐ０５０の行動は、ユーザＵａが実行を希望する施策であってもよいし、あらかじめ肌サポートアプリ３５ａの開発者等により指定された行動であってもよいし、ユーザＵａの目標に関連する行動であってもよい。以下においては、「１ｋｍ以上歩く」、「２０分以上の入浴」が施策であるとして説明する。
【０１５２】
第３行動入力表示Ｐ０６０は、ユーザＵａがその日行った出来事に応じて自由にテキストで入力できる情報を受け付けるための表示である。第３行動入力表示Ｐ０６０には、特殊な行動の入力を受け付けるための特殊行動入力表示Ｐ０６１と、行動のうち特に飲食に関する特殊な飲食物の入力を受け付けるための特殊飲食物入力表示Ｐ０６２とを含む。
【０１５３】
体状態入力表示Ｐ０４１は、疲労感等のユーザの体の状態の入力を受け付けるための表示である。体状態入力表示Ｐ０４１は、例えば、「なし」「わずか」「やや強い」「強い」のように段階的な疲労感（体状態）を示す言葉を選択するプルダウンメニューにより構成される。
【０１５４】
心状態入力表示Ｐ０４２は、気分等のユーザの心の状態の入力を受け付けるための表示である。心状態入力表示Ｐ０４２は、例えば、「楽」「やや楽」「やや辛い」「辛い」のように段階的な気分（心状態）を示す言葉を選択するプルダウンメニューにより構成される。
【０１５５】
肌サポートアプリ３５ａは、タッチパネル３２を介して登録ボタンＰ０７０の押圧操作を検知すると、図６のＳＴＥＰ６０〜図６のＳＴＥＰ６２において、入力されたデータを肌サポートサーバ１０に送信する。なお、肌状態入力表示Ｐ０２０、体状態入力表示Ｐ０４１、心状態入力表示Ｐ０４２のそれぞれに入力されたデータが、肌、体、心の状態を示すデータである。また、第１行動入力表示Ｐ０３０、第２行動入力表示Ｐ０５０に入力されたデータのうち、施策の行動に関するデータが、スケジュールの実行状況を示すデータである。第１行動入力表示Ｐ０３０、第２行動入力表示Ｐ０５０に入力されたデータのうち、施策に関連しない行動に関するデータ及び第３行動入力表示Ｐ０６０に入力されたデータが、施策外行動の実施の状況を示すデータである。
【０１５６】
図１９のＳＴＥＰ１０２の説明に戻ると、行動認識部は、肌サポートサーバ１０のサポートＤＢ２０に以前に蓄積された、図２０のホーム画面の第１行動入力表示Ｐ０３０、第２行動入力表示Ｐ０５０及び第３行動入力表示Ｐ０６０に入力された実行状況データ、施策外行動実施データを受信する。
【０１５７】
行動認識部は、これらのデータに基づいて、指定の期間におけるユーザＵａの行動（施
策に含まれる行動及び施策外行動の一方または両方）のそれぞれを認識する。
【０１５８】
例えば、行動認識部は、図２０に入力された情報から、指定の期間（２０１７年６月１４日）におけるユーザの行動「暴飲暴食」「歌を歌う」「クラッカー摂取」を認識する。
【０１５９】
図１９のＳＴＥＰ１０３において、予測部（本実施例においてはＣＰＵ３５とする）は、ユーザＵａの行動に応じて目標スコアに到達するまでの期間を延長または短縮させる。目標スコアが複数のスコアのセットで表されている場合には、予測部は、それぞれのスコアが目標スコアに到達するまでのそれぞれの期間を個別に延長または短縮させてもよいし、すべて又は一定割合以上のスコアのそれぞれが目標スコアに到達するまでの１つの期間を延長または短縮させてもよい。
【０１６０】
例えば、予測部は、図２１又は図２２に示される表を参照して、各行動の期間の延長または短縮への影響を数値で認識する。図２１に示される表は、各行動の種別と、各行動の実行の度合いと、当該行動の種別及び当該実行の度合いに対する係数とを関連付けた表である。また、図２２に示される表は、飲食物に含まれる主要な物質と、飲食物の種別と、当該飲食物の種別に対する係数とを関連付けた表である。図２１又は図２２に示される表は、例えば、肌サポートサーバ１０のサポートＤＢ２０に保存されている。
【０１６１】
図２１又は図２２に示される係数は、例えば、ユーザＵａの過去の行動のそれぞれに対する指定状態のスコアの変化量から算出された期間の延長または短縮量あってもよいし、ユーザＵｂ、Ｕｃ等のユーザＵａとは異なるユーザの過去の行動のそれぞれに対する指定状態のスコアの変化量から算出された期間の延長または短縮量であってもよいし、これらの組み合わせで求められた値であってもよい。図２１又は図２２に示される係数は、予め肌サポートアプリ３５ａの開発者等によって定められた値であってもよい。指定状態の目標スコアが複数あるために、期間が複数ある場合には、それぞれの期間ごとに係数が設定されることが好ましい。
予測部は、過去の所定期間（例えば１週間）におけるユーザＵａの行動に基づいて、不図示の対応表を参照する等により、目標スコアに到達するまでの期間を延長または短縮させてもよい。
また、予測部は、ユーザＵａの各行動の有無又は度合いの周期性を認識し、当該周期性に基づいて目標スコアに到達するまでの期間を延長または短縮させてもよい。例えば、予測部は、ユーザＵａの各行動の有無又は度合いの時系列データを離散フーリエ変換により周波数成分に分解し、各周波数におけるピークが閾値を超える割合を求めることにより、ユーザＵａの各行動の有無又は度合いの周期性を認識する。そして、予測部は、各行動の周期が継続すると仮定して、目標スコアに到達するまでの期間までの各行動の回数又は度合いの累計値を推定する。そして、予測部は、目標スコアに到達するまでの期間までの各行動の回数又は度合いの累計値と不図示の対応表等を用いて、目標スコアに到達するまでの期間を延長または短縮させてもよい。  ユーザＵａのデータのみならず、他のユーザに示される過去の行動に対して目標スコアに到達するまでの期間を延長または短縮させてもよい。
例えば、ユーザＵａと同様の体質、属性及び目標のうち少なくとも１つが共通しているユーザが抽出され、これらのユーザの過去の行動のそれぞれに対する指定状態のスコアの変化量から算出された期間の延長または短縮量が前記係数として認識されてもよい。
【０１６２】
予測部は、図２１又は図２２に示される表を参照して、ユーザの行動「暴飲暴食」「歌を歌う」「クラッカー摂取」のそれぞれの係数−３、＋２、−１を認識する。
【０１６３】
予測部は、あらかじめ指定された目標スコアを達成するまでの期間に対し、各行動の影響を反映することにより、目標スコアを達成するまでの期間を延長または短縮させる。
【０１６４】
例えば、予測部は、あらかじめ指定された期間としての、たとえばユーザが開始時に指定した期間（たとえば１２日間）に対して、ユーザの行動「暴飲暴食」「歌を歌う」「クラッカー摂取」のそれぞれの係数−３、＋２、−１を合算した−２（２日遅れ）を反映させることにより、目標スコアを達成するまでの期間を１４日間に伸ばす。
【０１６５】
図１９のＳＴＥＰ１０４において、予測部は、延長または短縮された期間に応じて、ユーザの指定状態が目標を達成するための指定状態のスコアの時系列的な変化を予測する。例えば、予測部は、現在のユーザの指定状態のスコアが、期間の末尾に目標スコアとなるように線形で遷移すると仮定して、指定状態のスコアの時系列的な変化を予測する。
【０１６６】
図１９のＳＴＥＰ１０５において、出力制御部は、指定状態のスコアの時系列的な変化の予測を示す情報と予測前及び予測後の目標スコアを達成するまでの期間を示す情報と各行動の期間への影響を示す情報とを表示器３１に出力する。
【０１６７】
例えば、出力制御部は、図２３に示されるようなグラフ表示画面を表示器３１に出力する。
【０１６８】
グラフ表示画面には、画面の下段の画面リンクＰ１００と、画面中段上部のグラフＰ１１０と、画面中段から下段にかけての施策実行表示Ｐ１１６、体状態表示Ｐ１１７、及び心状態表示Ｐ１１８と、画面の上段の期間遷移ボタンＰ１０５、Ｐ１０６とが含まれている。
【０１６９】
画面リンクＰ１００は、図２０の画面リンクＰ０００と同様のリンクである。
【０１７０】
グラフＰ１１０は、期間表示Ｐ１１１に示される期間における、横軸を期間とし、縦軸を肌状態のスコアＰ１１２または睡眠時間Ｐ１１３とするグラフである。グラフＰ１１０は、期間表示Ｐ１１１に示される期間における１日単位のユーザＵａの肌状態（図２３では乾燥感）のスコアの時系列的な変化を示すグラフＰ１１４と、同期間における１日単位の睡眠時間の時系列的な変化を示すグラフＰ１１５を含む。
【０１７１】
また、グラフＰ１１４は、現時点以降における肌状態のスコアの時系列的な変化の予測表示Ｐ２０１、Ｐ２０３と、期間の終期表示Ｐ２０２、Ｐ２０４と、行動の影響表示Ｐ２０５とを含む。
【０１７２】
肌状態のスコアの時系列的な変化の予測表示Ｐ２０１、期間の終期表示Ｐ２０２が、図１９のＳＴＥＰ１０３による、期間の延長または短縮を行う前の肌状態のスコアの時系列的な変化の予測及び期間の終期を示す表示である。
【０１７３】
肌状態のスコアの時系列的な変化の予測表示Ｐ２０３、期間の終期表示Ｐ２０４が、図１９のＳＴＥＰ１０３による、期間の延長または短縮を行った後の肌状態のスコアの時系列的な変化の予測及び期間の終期を示す表示である。本実施形態では、目標スコアを達成するまでの期間が２日間遅れた場合の表示となっている。
【０１７４】
また、行動の影響表示Ｐ２０５は、各行動の目標スコアを達成するまでの期間への影響を示す表示である。行動の影響表示Ｐ２０５には、どの行動がどのように目標スコアを達成するまでの期間へどのように影響しているかが示されている。
【０１７５】
施策実行表示Ｐ１１６は、期間表示Ｐ１１１に示される期間における１日単位の各施策の実行の有無を示す表示である。図２５においては、施策を実行した場合を○、施策を実行しなかった場合を×、入力を行わなかった場合を‐で表している。
【０１７６】
体状態表示Ｐ１１７は、期間表示Ｐ１１１に示される期間における１日単位の体状態（図２３では疲労感）を示す表示である。図２５においては、下矢印が「なし」、右下向きの矢印が「わずか」、右上向きの矢印が「やや強い」、上向きの矢印が「強い」を表している。また、入力を行わなかった場合を‐で表している。
【０１７７】
心状態表示Ｐ１１８は、期間表示Ｐ１１１に示される期間における１日単位の心状態（図２３では気分）を示す表示である。図２５においては、下矢印が「楽」、右下向きの矢印が「やや楽」、右上向きの矢印が「やや辛い」、上向きの矢印が「辛い」を表している。また、入力を行わなかった場合を‐で表している。  画面の上段の期間遷移ボタンＰ１０５、Ｐ１０６は、グラフの表示期間を変更するためのボタンである。期間遷移ボタンＰ１０５は、期間表示Ｐ１１１に示される期間よりも前の期間のグラフを表示するためのボタンである。期間遷移ボタンＰ１０６は、期間表示Ｐ１１１に示される期間よりも後の期
間のグラフを表示するためのボタンである。
【０１７８】
以上が第１実施形態の予測スコア表示処理である。
【０１７９】
［Ｋ．予測スコア表示処理（第２実施形態）］
図２４〜図２５を参照して、図７のＳＴＥＰ６４の第２実施形態の予測スコア表示処理を説明する。第２実施形態の予測スコア表示処理では、ユーザＵａの行動に応じてユーザＵａの指定状態のスコアの時系列的な変化を予測し、当該予測されたユーザＵａの指定状態のスコアの時系列的な変化が表示器３１に出力される。ユーザＵａの指定状態のスコアは、ユーザＵａの肌状態、体状態又は心状態のうちの少なくとも１つのスコアであるが、本実施形態においても、ユーザＵａの指定状態はユーザＵａの肌状態であるとして以下説明を行う。
【０１８０】
図２４のＳＴＥＰ２０１において、行動認識部は、図１９のＳＴＥＰ１０２と同様の処理により、指定の期間におけるユーザＵａの行動（施策に含まれる行動及び施策外行動の一方または両方）のそれぞれを認識する。
【０１８１】
図２４のＳＴＥＰ２０２において、予測部は、ユーザＵａの行動のそれぞれに応じてユーザＵａの指定状態のスコアの単位期間あたりの変動量を認識する。単位期間は例えば１日である。
【０１８２】
予測部は、例えば、図２１及び図２２の表の係数を、ユーザＵａの行動のそれぞれに応じてユーザＵａの指定状態のスコアの変動量を示す係数に置き換えた表を用いて、ユーザＵａの行動のそれぞれに応じてユーザＵａの指定状態のスコアの変動量を認識しうる。
【０１８３】
ユーザＵａの行動のそれぞれに応じてユーザＵａの指定状態のスコアの変動量を示す係数は、目標スコアに到達するまでの期間への影響を示す係数と同様の手法で設定されうる。
【０１８４】
図２４のＳＴＥＰ２０３において、予測部は、指定状態のスコアの変動量に応じて、ユーザＵａの指定状態のスコアの時系列的な変化を予測する。
【０１８５】
例えば、予測部は、指定状態のスコアの変動量が一日当たりの変動量であるとして、ユーザＵａの指定状態のスコアの時系列的な変化を予測してもよい。予測部は、例えば、各データからユーザが行動をとる頻度を認識し、当該頻度を当該指定状態のスコアの変動量にかけて１日当たりの変動量を算出し、当該１日当たりの変動量を基に、ユーザＵａの指定状態のスコアの時系列的な変化を予測してもよい。
【０１８６】
図２４のＳＴＥＰ２０４において、出力制御部は、ユーザＵａの指定状態のスコアの時系列的な変化の予測を示す情報とユーザＵａの行動を示す情報と行動に関連する変動量を示す情報を表示器３１に出力する。
【０１８７】
例えば、出力制御部は、図２５に示されるグラフ表示画面を表示器３１に出力する。図２３のグラフ表示画面と同じ要素については、同一の符号を付している。
【０１８８】
図２５に示された予測グラフＰ３０１が、ユーザＵａの指定状態のスコアの時系列的な変化の予測を示す情報の一例である。図２５に示された各行動の指定状態の変動量を示すボックスＰ３０２が、ユーザＵａの行動を示す情報と行動に関連する変動量を示す情報の一例である。
【０１８９】
図２４のＳＴＥＰ２０５において、出力制御部は、ユーザＵａの行動ごとに、当該行動が所定の第１条件を充足するか否かを判定する。第１条件は、肌、体、心のいずれかに良い影響があること及びいずれについても悪い影響が無いことの一方または両方を充足する条件である。詳細には、例えば当該行動の指定状態のスコアの変動量が所定の閾値（たとえば０．５）以上となる条件であってもよいし、当該行動が図１５における評価Ａとなる行動という条件であってもよいし、当該行動が図１６における評価Ｄとなる行動という条件であってもよい。
【０１９０】
当該判定結果が肯定的である場合（図２４のＳＴＥＰ２０５でＹＥＳ）、図２４のＳＴＥＰ２０６において、出力制御部は、当該行動が肌、体、心のいずれかに良い影響があること及びいずれについても悪い影響が無いの一方または両方であると判定し、図２５に示されるように、当該行動の継続を推奨する情報Ｐ３０３を表示器３１に出力する。
【０１９１】
当該判定結果が否定的である場合（図２４のＳＴＥＰ２０５でＮＯ）、図２４のＳＴＥＰ２０７において、出力制御部は、当該行動が肌、体、心のいずれにも良い影響がないか、肌、体、心のいずれかに悪い影響があると判定し、図２５に示されるように、当該行動の中止を推奨する情報Ｐ３０４と代替行動の候補を表示するためのボタンＰ３０５とを表示器３１に出力する。
【０１９２】
出力制御部は、タッチパネル３２を介して代替行動の候補を表示するためのボタンＰ３０５の押圧操作を検知すると、代替行動の候補を表示する。代替行動の候補は、肌、体、心のいずれかに良い影響があること及びいずれについても悪い影響が無いことの一方または両方を充足する必要がある。代替行動の候補は、例えば指定状態への変動量が所定の閾値以上となるような行動や、中止を推奨する行動の種別と同一の種別の行動、ユーザの嗜好に合致する行動の種別の行動となる。出力制御部は、肌サポートサーバ１０との通信を介してこれらの代替行動の候補を認識してもよい。
【０１９３】
肌サポートアプリ３５ａは、選択された代替行動を肌サポートサーバ１０に送信し、選択された代替行動を施策としてスケジュールに反映させてサポートＤＢ２０に記憶させてもよい。
【０１９４】
図２４のＳＴＥＰ２０８において、出力制御部は、ユーザＵａの指定の期間におけるすべての行動について、図２４のＳＴＥＰ２０５〜ＳＴＥＰ２０７の処理を実行したか否かを判定する。当該判定結果が否定的である場合（図２４のＳＴＥＰ２０８でＮＯ）、出力制御部は、未処理の行動に対して、図２４のＳＴＥＰ２０５の処理を実行する。
【０１９５】
当該判定結果が肯定的である場合（図２４のＳＴＥＰ２０８でＹＥＳ）、肌サポートアプリ３５ａは、第２実施形態の予測スコア表示処理を終了する。
【０１９６】
［Ｌ．予測スコア表示処理（第３実施形態）］
図２６〜図２９を参照して、図７のＳＴＥＰ６４の第３実施形態の予測スコア表示処理を説明する。第３実施形態の予測スコア表示処理では、施策の実行状況に応じてユーザＵａの指定状態のスコアの時系列的な変化を予測し、当該予測されたユーザＵａの指定状態のスコアの時系列的な変化が表示器３１に出力される。ユーザＵａの指定状態のスコアは、ユーザＵａの肌状態、体状態又は心状態のうちの少なくとも１つのスコアであるが、本実施形態においても、ユーザＵａの指定状態はユーザＵａの肌状態であるとして以下説明を行う。
【０１９７】
図２６のＳＴＥＰ３０１において、施策情報出力制御部は、施策を含む情報を表示器３１に出力する。例えば、施策情報出力制御部は、ホーム画面等においてタッチパネル３２
を介して設定ボタンＰ００４，Ｐ１０４の押圧操作を検知すると、図２７に示す施策選択画面を表示する。
【０１９８】
施策選択画面には、「施策を選ぶ」との画面タイトル表示Ｐ４０１と、施策一覧表示Ｐ４２と、保存ボタンＰ４０３とが含まれている。
【０１９９】
施策一覧表示Ｐ４０２には、それぞれの施策の候補ごとに、その施策の候補の名称表示Ｐ４０２ａ、その施策の候補の説明表示Ｐ４０２ｂ、及びその施策の候補の選択ボックスＰ４０２ｃとが含まれている。選択ボックスＰ４０２ｃにチェックがつくことにより、その施策の候補が選択された状態となる。図２７の画面では、「夕食と朝食の間隔」と「お茶摂取量」との施策の候補が選択されている。
【０２００】
いずれかの施策の候補が選択されている状態で、タッチパネル３２を介して保存ボタンＰ４０３の押圧操作が検知されると、図２６のＳＴＥＰ３０２において、施策情報出力制御部は、選択された施策の候補を選択された施策として認識する。肌サポートアプリ３５ａは、選択された施策を肌サポートサーバ１０に送信する。図２６のＳＴＥＰ３０１及びＳＴＥＰ３０２の処理は、図６のＳＴＥＰ５１において併せて実行されてもよい。
【０２０１】
図２６のＳＴＥＰ３０３において、施策実行状況認識部は、肌サポートサーバ１０のサポートＤＢ２０に蓄積された実行状況データから、指定の期間におけるユーザＵａの施策の実行状況を認識する。
【０２０２】
図２６のＳＴＥＰ３０４において、予測部は、ユーザＵａの施策のそれぞれの実行の状況に応じたユーザの指定状態のスコアの変動量を認識する。ここで、変動量は、前記ユーザの指定状態の改善の度合いが大きいほど連続的または断続的に大きい値となり、前記ユーザの指定状態の改善の度合いが小さいほど連続的または断続的に小さい値となる値である。
【０２０３】
例えば、予測部は、図２８に示されるような表を参照することにより、施策の実行状況に応じたユーザの指定状態のスコアの変動量を認識する。施策が実行されている場合には、それぞれの施策の実行時の係数が認識され、施策が実行されていない場合には、それぞれの施策の不実行時の係数が認識される。予測部はこれらの係数を合算することにより、ユーザの指定状態のスコアの変動量を認識してもよい。なお、図２８に示されるような表は、例えば、肌サポートサーバ１０からダウンロードされうる。
【０２０４】
図２６のＳＴＥＰ３０５において、出力制御部は、指定状態のスコアの時系列的な変化の予測を示す情報と施策の実行の状況を示す情報とを表示器３１に出力する。
【０２０５】
例えば、出力制御部は、図２９に示されるグラフ表示画面を表示器３１に出力する。図２３のグラフ表示画面と同じ要素については、同一の符号を付している。
【０２０６】
図２９に示された予測グラフＰ５０１が、ユーザＵａの指定状態のスコアの時系列的な変化の予測を示す情報の一例である。図２５に示された各施策の実行率ボックスＰ５０２が、施策の実行の状況を示す情報の一例である。ボックスＰ５０２には、当該施策の実行率に応じた指定状態の変動量を示す情報が含まれている。
【０２０７】
出力制御部は、それぞれの施策ごとに、図２６のＳＴＥＰ３０６以下の処理を実行する。
【０２０８】
図２６のＳＴＥＰ３０６において、出力制御部は、施策の実行の状況が第２条件を充足
するか否かを判定する。
【０２０９】
第２条件は、行動が肌、体、心のいずれかに良い影響がある及びいずれについても悪い影響が無いの一方または両方という条件である。例えば、施策の実行率が所定の第１の実行率（ただし第１の実行率は０より大きい、例として半分）以上であるという条件であってもよいし、施策の実行の継続期間が所定の第１の期間以上という条件であってもよいし、施策の実行状況から認識される指定状態のスコアの変動量が所定の第１の値（たとえば０．５）以上であるという条件であってもよいし、施策及び施策の実行状況から図１５の評価Ａと評価されるという条件であってもよい。
【０２１０】
当該判定結果が肯定的である場合（図２６のＳＴＥＰ３０６でＹＥＳ）、図２６のＳＴＥＰ３０７において、出力制御部は、施策の維持を推薦する情報を表示器３１に出力する。例えば、出力制御部は、図２９に示されるように、施策の維持を推薦する情報としての、施策の維持の推薦表示Ｐ５０３を表示器に出力する。
【０２１１】
当該判定結果が否定的である場合（図２６のＳＴＥＰ３０６でＮＯ）、図２６のＳＴＥＰ３０８において、出力制御部は、施策の実行の状況が第３条件を充足するか否かを判定する。
【０２１２】
第３条件は、行動が肌、体、心のいずれかに良い影響があること及びいずれについても悪い影響が無いことの一方または両方を充足する条件であるが、第２条件よりも効果の絶対値が小さい。つまり、例えば施策の実行率が第１の実行率よりも低い第２の実行率（ただし第２の実行率は０ではない）以上であるという条件であってもよいし、施策の実行の継続期間が第１の期間よりも短い第２の期間以上という条件であってもよいし、施策の実行状況から認識される指定状態のスコアの変動量が所定の第１の値よりも小さい第２の値（たとえば０）以上であるという条件であってもよいし、施策及び施策の実行状況から図１５の評価Ｂと評価されるという条件であってもよい。
【０２１３】
当該判定結果が肯定的である場合（図２６のＳＴＥＰ３０８でＹＥＳ）、図２６のＳＴＥＰ３０９において、出力制御部は、実行の度合いが異なる施策を推奨する情報を表示器３１に出力する。
【０２１４】
例えば、出力制御部は、図２９に示されるように、実行の度合いが異なる施策を推奨する情報としての、簡単な施策推薦表示Ｐ５０４を表示器３１に出力する。出力制御部は、併せて施策の変更ボタンＰ５０５を表示器３１に出力する。
【０２１５】
ここで、補足すると、施策は、「入浴」「歩く」等の施策の種別と、「１０分以上」「２０分以上」等の量的な施策の実行の度合いとにより表現されうる。
【０２１６】
施策の変更ボタンＰ５０５の押圧操作を、タッチパネル３２を介して検知すると、出力制御部は、施策の実行の度合いを変更した施策、特に実行の度合いが下がるように変更した施策を推薦する画面を表示器３１に出力する。例えば、施策の種別「入浴」について実行の度合い「２０分以上」の施策の実行状況が第３条件を充足する場合、出力制御部は、施策の種別「入浴」の実行の度合い「１０分以上」の施策を推薦する画面を表示器３１に出力する。
【０２１７】
当該判定結果が否定的である場合（図２６のＳＴＥＰ３０８でＮＯ）、図２６のＳＴＥＰ３１０において、出力制御部は、施策の種別が異なる施策を推奨する情報を表示器３１に出力する。例えば、出力制御部は、「施策Ｂを別な施策に代えてみましょう！」等の表示を表示器３１に出力する。また、出力制御部は、施策の種別が異なる施策を示す情報を表示器３１に出力する。
【０２１８】
図２６のＳＴＥＰ３０７、ＳＴＥＰ３０９、ＳＴＥＰ３１０のいずれかの処理の後、図２６のＳＴＥＰ３１１において、出力制御部は、ユーザＵａが選択しているすべての施策についてＳＴＥＰ３０６〜ＳＴＥＰ３１０の処理を実行したか否かを判定する。
【０２１９】
当該判定結果が否定的である場合（図２６のＳＴＥＰ３１１でＮＯ）、出力制御部は、図２６のＳＴＥＰ３０６以下の処理を実行する。
【０２２０】
当該判定結果が肯定的である場合（図２６のＳＴＥＰ３１１でＹＥＳ）、出力制御部は、第３実施系他の予測スコア表示処理を終了する。
【０２２１】
（変形態様）
第１実施形態〜第３実施形態では、肌サポートアプリ３５ａを実行したＣＰＵ３５が、本発明の「施策情報出力制御部」「施策実行状況認識部」「目標スコア認識部」「出力制御部」「予測部」「行動認識部」として機能したが、これに代えて、適当なプログラムを読み込んだ肌サポートサーバ１０が「施策実行状況認識部」「目標スコア認識部」「予測部」「行動認識部」の一部または全部の機能及び「施策情報出力制御部」「出力制御部」の一部の機能として機能してもよい。この場合、肌サポートアプリ３５ａを実行したＣＰＵ３５が通信を介して実行結果を認識し、「施策実行状況認識部」「目標スコア認識部」「予測部」「行動認識部」「施策情報出力制御部」「出力制御部」の残部として機能しうる。
【０２２２】
また、肌サポートサーバ１０の機能をユーザ端末３０を有することにより、ユーザ端末３０が単独で情報出力システムを構成してもよい。
【０２２３】
第１実施形態〜第３実施形態では、肌サポートアプリ３５ａを実行したＣＰＵ３５が、肌サポートサーバ１０と通信することにより、各種必要なデータを受信したが、これに代えて又は加えて、肌サポートアプリ３５ａを実行したＣＰＵ３５が、ユーザ端末３０の記憶装置に記憶されたデータを参照し、処理を実行してもよい。
【０２２４】
また、第２実施形態及び第３実施形態において、出力制御部は、指定状態のスコアの変動量に基づいて目標スコアに到達するまでの期間を認識し、グラフ表示画面に合わせて目標スコアに到達するまでの期間を出力してもよい。また、出力制御部は、第２実施形態及び第３実施形態において行動の影響を受ける前の指定状態のスコアの時系列的変化の予測を出力してもよい。
【０２２５】
第１実施形態〜第３実施形態では、指定状態を肌状態として説明したが、これに加えてまたは代えて、体状態および心状態の一方または両方を指定状態として処理を行ってもよい。また、体状態および心状態のそれぞれについても、体状態および心状態にあわせた手法によって、その目標スコア（主観目標スコアおよび客観目標スコア）が認識されてもよい。
予測部は、過去のある期間（例えば１週間）におけるユーザＵａの行動に基づいて、不図示の対応表を参照する等により、現時点から所定期間後（例えば３日後）の指定状態のスコア又はその変化量を予測してもよい。
また、予測部は、ユーザＵａの各行動の有無又は度合いの周期性を認識し、当該周期性に基づいて現時点から所定期間後の指定状態のスコア又はその変化量を予測してもよい。例えば、予測部は、ユーザＵａの各行動の有無又は度合いの時系列データを離散フーリエ変換により周波数成分に分解し、各周波数におけるピークが閾値を超える割合を求めることにより、ユーザＵａの各行動の有無又は度合いの周期性を認識する。そして、予測部は、各行動の周期が継続すると仮定して、所定期間における各行動の回数又は度合いの累計値を推定する。そして、現時点から所定期間における各行動の回数又は度合いの累計値と不図示の対応表等を用いて、現時点から所定期間後の目指定状態のスコア又はその変化量を予測してもよい。
ユーザＵａのデータのみならず、他のユーザＵｂ、Ｕｃに示される過去の行動に対する指定状態のスコア又はその変化量も勘案して、現時点から所定期間後のユーザＵａの指定状態のスコア又はその変化量を予測してもよい。
例えば、予測部は、ユーザＵａと同様の体質、属性及び目標のうち少なくとも１つが共通しているユーザを抽出し、これらのユーザの過去の行動のそれぞれに対する処理時点から所定期間後のこれらのユーザの指定状態のスコアの変化量を認識する。予測部は、これらのユーザの過去の行動のそれぞれに対する現時点から所定期間後の指定状態のスコアの変化量と、ユーザＵａの行動から、現時点から所定期間後のユーザＵａの指定状態のスコア又はその変化量を予測していもよい。
予測部は、例えば、対応表を参照することにより、ユーザの各行動に基づいて、ユーザの顔又は体の各部位ごとに、ユーザの肌状態又は体状態の予測をしてもよい。
出力制御部は、現時点から所定期間後のユーザＵａの指定状態のスコアを示す画像として、例えば、ユーザＵａの顔写真若しくは体の写真を修正した画像、ユーザＵａを模したアバター画像、アニメキャラクタの画像又は丸等の図形を表示器３１に出力してもよい。
この場合、例えば、予測部は、タッチパネル３２等の入力部に対する操作に応じて、表示した画像を変化させてもよい。
例えば、出力制御部は、入力部に対する第１操作（例えば、横方向へのスライド操作）に応じて、予測の基準となる時点を切り替え、切替後の時点におけるユーザＵａの指定状態の予測を示す画像を表示器３１に出力してもよい。例えば、出力制御部は、入力部に対する第１操作に応じて、現時点から１日後、２日後、３日後、・・・におけるユーザの指定状態の予測を示す画像を出力制御部出力してもよい。ユーザの指定状態の予測を示す画像は、現時点から所定期間後のユーザＵａの第１の指定状態（例えば肌状態）の予測を示す画像であってもよい。現時点から所定期間後のユーザＵａの第１の指定状態（例えば肌状態）の予測を示す画像は、例えば、３日後のユーザＵａの顔又は体の各部位における肌の状態を文言又は色で示した画像、ユーザＵａの顔の各部位における肌の角層の状態を示す画像であってもよい。
また、例えば、出力制御部は、入力部に対する第２操作（例えば、ピンイン操作）に応じて、ユーザＵａの第１指定状態とは異なる第２指定状態（例えば、体状態）の予測を示す画像を表示してもよい。
【符号の説明】
【０２２６】
１…通信ネットワーク、１０…肌サポートサーバ、１１‥肌状態認識部、１２…施策グループ選択部、１３…施策情報送信部、１９…２次データ生成部、２０…サポートＤＢ（データベース）、３０（３０ａ，３０ｂ，３０ｃ）…ユーザ端末（スマートフォン）、３１…表示器、３２…タッチパネル、３３…カメラ、３４…マイク、３５…ＣＰＵ、３５
ａ…肌サポートアプリ、３６…メモリ、４０…接続端子、４５…測定機器。
【図１】
2019012524.tif 000003
【図２】
2019012524.tif 000004
【図３】
2019012524.tif 000005
【図４】
2019012524.tif 000006
【図５】
2019012524.tif 000007
【図６】
2019012524.tif 000008
【図７】
2019012524.tif 000009
【図８】
2019012524.tif 000010
【図９】
2019012524.tif 000011
【図１０】
2019012524.tif 000012
【図１１】
2019012524.tif 000013
【図１２】
2019012524.tif 000014
【図１３】
2019012524.tif 000015
【図１４】
2019012524.tif 000016
【図１５】
2019012524.tif 000017
【図１６】
2019012524.tif 000018
【図１７】
2019012524.tif 000019
【図１８】
2019012524.tif 000020
【図１９】
2019012524.tif 000021
【図２０】
2019012524.tif 000022
【図２１】
2019012524.tif 000023
【図２２】
2019012524.tif 000024
【図２３】
2019012524.tif 000025
【図２４】
2019012524.tif 000026
【図２５】
2019012524.tif 000027
【図２６】
2019012524.tif 000028
【図２７】
2019012524.tif 000029
【図２８】
2019012524.tif 000030
【図２９】
2019012524.tif 000031